(57)【要約】  本発明は、好ましくない刺激感、特異臭、苦みなどがなく、清涼感や冷涼感の持続性に優れた冷感剤または感覚刺激剤として用いることができる新規メチルメントール誘導体を含有する冷感剤組成物を提供することを目的とする。本発明は、下記一般式（１Ａ）又は下記一般式（１Ｂ）で表されるメチルメントール誘導体を含有する冷感剤組成物に関する。【化１】2016153011.tif 000101
2016153011.tif 000002
【特許請求の範囲】
【請求項１】
下記一般式（１Ａ）又は下記一般式（１Ｂ）：
【化１】
2016153011.tif 000099
［式中、実線と点線の二重線は二重結合又は単結合であり、＊印は、不斉炭素原子であり、
Ｗは、水素原子、または、単結合もしくは酸素原子を介してＸと環を形成し、
Ｘは、−ＣＨＯ、−ＣＯ−Ｙまたは−Ｏ−Ｚを表し、
Ｙは、以下の式（ｉ）または式（ｉｉ）に示す基であり、
（ｉ）ＮＲ１Ｒ２
（ｉｉ）ＯＲ３
（式（ｉ）及び式（ｉｉ）中、Ｒ１〜Ｒ３は、互いに独立して水素原子、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。）
Ｚは、以下の式（ｉｉｉ）または式（ｖｉ）に示す基である。
（ｉｉｉ）Ｒ４
（ｖｉ）ＣＯＲ５
（式（ｉｉｉ）中、Ｒ４は、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。
式（ｖｉ）中、Ｒ５は、水素原子、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。）］
で表されるメチルメントール誘導体を含有する冷感剤組成物。
【請求項２】
前記メチルメントール誘導体が、（２Ｓ）−体である請求項１に記載の冷感剤組成物。
【請求項３】
前記メチルメントール誘導体以外の冷感物質を少なくとも１種更に含有する請求項１又は２に記載の冷感剤組成物。
【請求項４】
前記メチルメントール誘導体以外の冷感物質が、
メントール、メントン、カンファー、プレゴール、イソプレゴール、シネオール、キュベノール、酢酸メンチル、酢酸プレギル、酢酸イソプレギル、サルチル酸メンチル、サルチル酸プレギル、サルチル酸イソプレギル、３−（ｌ−メントキシ）プロパン−１，２−ジオール、２−メチル−３−（ｌ−メントキシ）プロパン−１，２−ジオール、２−（ｌ−メントキシ）エタン−１−オール、３−（ｌ−メントキシ）プロパン−１−オール、４−（ｌ−メントキシ）ブタン−１−オール、３−ヒドロキシブタン酸メンチル、グリオキシル酸メンチル、ｐ−メンタン−３，８−ジオール、１−（２−ヒドロキシ−４−メチルシクロヘキシル）エタノン、乳酸メンチル、メントングリセリンケタール、メンチル−２−ピロリドン−５−カルボキシラート、モノメンチルスクシナート、モノメンチルスクシナートのアルカリ金属塩、モノメンチルスクシナートのアルカリ土類金属塩、モノメンチルグルタラート、モノメンチルグルタラートのアルカリ金属塩、モノメンチルグルタラートのアルカリ土類金属塩、Ｎ−［［５−メチル−２−（１−メチルエチル）シクロヘキシル］カルボニル］グリシン、ｐ−メンタン−３−カルボン酸グリセロールエステル、メントールプロピレングリコールカルボナート、メントールエチレングリコールカルボナート、ｐ−メンタン−２，３−ジオール、２−イソプロピル−Ｎ，２，３−トリメチルブタンアミド、Ｎ−エチル−ｐ−メンタン−３−カルボキサミド、３−（ｐ−メンタン−３−カルボキサミド）酢酸エチル、Ｎ−（４−メトキシフェニル）−ｐ−メンタンカルボキサミド、Ｎ−エチル−２，２−ジイソプロピルブタンアミド、Ｎ−シクロプロピル−ｐ−メンタンカルボキサミド、Ｎ−（４−シアノメチルフェニル）−ｐ−メンタンカルボキサミド、Ｎ−（２−ピリジン−２−イル）−３−ｐ−メンタンカルボキサミド、Ｎ−（２−ヒドロキシエチル）−２−イソプロイル−２，３−ジメチルブタンアミド、Ｎ−（１，１−ジメチル−２−ヒドロキシエチル）−２，２−ジエチルブタンアミド、シクロプロパンカルボン酸（２−イソプロピル−５−メチルシクロヘキシル）アミド、Ｎ−エチル−２，２−ジイソプロピルブタンアミド、Ｎ−［４−（２−アミノ−２−オキソエチル）フェニル］−ｐ−メンタンカルボキサミド、２−［（２−ｐ−メントキシ）エトキシ］エタノール、２，６−ジエチル−５−イソプロピル−２−メチルテトラヒドロピラン、及びトランス−４−ｔｅｒｔ−ブチルシクロヘキサノールから選ばれる一種以上の化合物；
キシリトール、エリスリトール、デキストロース、及びソルビトールから選ばれる一種以上の糖アルコール；並びに
和種ハッカオイル、ペパーミントオイル、スペアーミントオイル、及びユーカリプタスオイルから選ばれる一種以上の天然物；
からなる群より選ばれる少なくとも１の冷感物質である請求項３に記載の冷感剤組成物。
【請求項５】
請求項１乃至４のいずれか１項に記載の冷感剤組成物を含有する感覚刺激剤組成物。
【請求項６】
温感物質の少なくとも１種を更に含有する請求項５に記載の感覚刺激剤組成物。
【請求項７】
前記温感物質が、
バニリルメチルエーテル、バニリルエチルエーテル、バニリルプロピルエーテル、バニリルイソプロピルエーテル、バニリルブチルエーテル、バニリルアミルエーテル、バニリルイソアミルエーテル、バニリルヘキシルエーテル、イソバニリルメチルエーテル、イソバニリルエチルエーテル、イソバニリルプロピルエーテル、イソバニリルイソプロピルエーテル、イソバニリルブチルエーテル、イソバニリルアミルエーテル、イソバニリルイソアミルエーテル、イソバニリルヘキシルエーテル、エチルバニリルメチルエーテル、エチルバニリルエチルエーテル、エチルバニリルプロピルエーテル、エチルバニリルイソプロピルエーテル、エチルバニリルブチルエーテル、エチルバニリルアミルエーテル、エチルバニリルイソアミルエーテル、エチルバニリルヘキシルエーテル、バニリンプロピレングリコールアセタール、イソバニリンプロピレングリコールアセタール、エチルバニリンプロピレングリコールアセタール、バニリルブチルエーテル酢酸エステル、イソバニリルブチルエーテル酢酸エステル、エチルバニリルブチルエーテル酢酸エステル、４−（ｌ−メントキシメチル）−２−（３’−メトキシ−４’−ヒドロキシフェニル）−１，３−ジオキソラン、４−（ｌ−メントキシメチル）−２−（３’−ヒドロキシ−４’−メトキシフェニル）−１，３−ジオキソラン、４−（ｌ−メントキシメチル）−２−（３’−エトキシ−４’−ヒドロキシフェニル）−１，３−ジオキソラン、カプサイシン、ジヒドロカプサイシン、ノルジヒドロカプサインシン、ホモジヒドロカプサインシン、ホモカプサインシン、ビスカプサンシン、トリスホモカプサンシン、ノルノルカプサンシン、ノルカプサンシン、カプサイシノール、バニリルカプリルアミド（オクチル酸バニリルアミド）、バニリルペリラゴンアミド（ノニル酸バニリルアミド）、バニリルカプロアミド（デシル酸バニリルアミド）、バニリルウンデカンアミド（ウンデシル酸バニリルアミド）、Ｎ−トランス−フェルロイルチラミン、Ｎ−５−（４−ヒドロキシ−３−メトキシフェニル）−２Ｅ，４Ｅ−ペンタジエノイルピペリジン、Ｎ−トランス−フェルロイルピペリジン、Ｎ−５−（４−ヒドロキシ−３−メトキシフェニル）−２Ｅ−ペンテノイルピペリジン、Ｎ−５−（４−ヒドロキシフェニル）−２Ｅ，４Ｅ−ペンタジエノイルピペリジン、ピペリン、イソピペリン、シャビシン、イソシャビシン、ピペラミン、ピペレチン、ピペロレインＢ，レトロフラクタミドＡ、ピペラシド、グイネンサイド、ピペリリン、ピペラミドＣ５：１（２Ｅ）、ピペラミドＣ７：１（６Ｅ）、ピペラミドＣ７：２（２Ｅ，６Ｅ）、ピペラミドＣ９：１（８Ｅ）、ピペラミドＣ９：２（２Ｅ，８Ｅ）、ピペラミドＣ９：３（２Ｅ，４Ｅ，８Ｅ）、ファガラミド、サンショオール−Ｉ、サンショオール−ＩＩ、ヒドロキシサンショオール、サンショウアミド、ジンゲロール、ショウガオール、ジンゲロン、メチルジンゲロール、パラドール、スピラントール、カビシン、ポリゴジアール（タデオナール）、イソポリゴジアール、ジヒドロポリゴジアール、及びタデオンから選ばれる一種以上の化合物；並びに
トウガラシ油、トウガラシオレオレジン、ジンジャーオレオレジン、ジャンブーオレオレジン（キバナオランダセンニチ抽出物）、サンショウエキス、サンショウアミド、黒胡椒エキス、白胡椒エキス、及びタデエキスから選ばれる一種以上の天然物；
からなる群より選ばれる少なくとも１の温感物質である請求項６に記載の感覚刺激剤組成物。
【請求項８】
請求項５乃至７のいずれか１項に記載の感覚刺激剤組成物を含有する香料組成物。
【請求項９】
請求項５乃至７のいずれか１項に記載の感覚刺激剤組成物を０．００００１〜９０質量％含有する香料組成物。
【請求項１０】
飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品からなる群より選ばれるいずれかの製品であって、請求項５乃至７のいずれか１項に記載の感覚刺激剤組成物を含有する製品。
【請求項１１】
飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品からなる群より選ばれるいずれかの製品であって、請求項５乃至７のいずれか１項に記載の感覚刺激剤組成物を０．００００１〜５０質量％含有する製品。
【請求項１２】
飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品からなる群より選ばれるいずれかの製品であって、請求項８又は９に記載の香料組成物を含有する製品。
【請求項１３】
飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品からなる群より選ばれるいずれかの製品であって、請求項８又は９に記載の香料組成物を０．００００１〜５０質量％含有する製品。
【請求項１４】
飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品からなる群より選ばれるいずれかの製品の製造方法であって、請求項５乃至７のいずれか１項に記載の感覚刺激剤組成物を配合する製品の製造方法。
【請求項１５】
飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品からなる群より選ばれるいずれかの製品の製造方法であって、請求項８又は９に記載の香料組成物を配合する製品の製造方法。
【請求項１６】
下記一般式（１Ａ’）：
【化２】
2016153011.tif 000100
［式中、実線と点線の二重線は二重結合又は単結合であり、＊印は、不斉炭素原子であり、
Ｗは、水素原子、または、単結合もしくは酸素原子を介してＸ’と環を形成し、
Ｘ’は、−ＣＨＯ、−ＣＯ−Ｙ’または−Ｏ−Ｚを表し、
Ｙ’は、以下の式（ｉ）または式（ｉｉ’）に示す基であり、
（ｉ）ＮＲ１Ｒ２
（ｉｉ’）ＯＲ３’
（式（ｉ）中、Ｒ１及びＲ２は、互いに独立して水素原子、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。
式（ｉｉ’）中、Ｒ３’は、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。）
Ｚは、以下の式（ｉｉｉ）または式（ｖｉ）に示す基である。
（ｉｉｉ）Ｒ４
（ｖｉ）ＣＯＲ５
（式（ｉｉｉ）中、Ｒ４は、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。
式（ｖｉ）中、Ｒ５は、水素原子、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。）］
で表されるメチルメントール誘導体。
【請求項１７】
前記メチルメントール誘導体が、（２Ｓ）−体である請求項１６に記載のメチルメントール誘導体。
【発明の詳細な説明】
【技術分野】
【０００１】
本発明は、新規メチルメントール誘導体および該メチルメントール誘導体を含有する冷感剤組成物に関する。更に、本発明は、これら冷感剤組成物を含有する感覚刺激剤組成物、並びにこれら感覚刺激剤組成物が配合された香料組成物及び製品類に関する。
【背景技術】
【０００２】
従来、ヒトの皮膚や口腔、鼻、喉に対して爽やかな感覚（清涼感）や冷たい感覚（冷涼感）、すなわち冷感効果を与える冷感剤は、歯磨剤、菓子（例えば、チューインガム、キャンディー等）、煙草、ハップ剤、化粧料などに使用されている。これら清涼感又は冷涼感を与える香料物質として、ｌ−メントールが現在広く使用されているが、その冷感効果は持続性に欠け、また、使用量を多くすると冷感効果が増強される反面、苦みを伴うことがあるという欠点がある。【０００３】
冷感効果を有する化合物として、ｌ−メントール以外にも多数の化合物が提案され、使用されている。従来提案されたｌ−メントール以外の冷感効果を有する化合物としては、例えば、３−置換−ｐ−メンタン（例えば、特許文献１参照）、Ｎ−置換−ｐ−メンタン−３−カルボキサミド（例えば、特許文献２及び特許文献３参照）、ｌ−メンチルグルコシド（例えば、特許文献４参照）、３−（ｌ−メントキシ）プロパン−１，２−ジオール（例えば、特許文献５参照）、１−メンチル−３−ヒドロキシブチレート（例えば、特許文献６参照）、１−アルコキシ−３−（ｌ−メントキシ）プロパン−２−オール（例えば、特許文献７参照）、３−ヒドロキシメチル−ｐ−メンタンのエステル類（例えば、特許文献８参照）、Ｎ−アセチルグリシンメンタンメチルエステル（例えば、特許文献９参照）、ｌ−イソプレゴール（例えば、特許文献１０参照）、（２Ｓ）−３−｛（１Ｒ，２Ｓ，５Ｒ）−［５−メチル−２−（１−メチルエチル）シクロヘキシル］オキシ｝−１，２−プロパンジオール（例えば、特許文献１１参照）、２−ヒドロキシメチルメントール（例えば、特許文献１２参照）、メントキシアルカン−１−オール（例えば、特許文献１３）、（ｌ−メンチルオキシアルコキシ）アルカノール（例えば、特許文献１４参照）、Ｎ置換ｐ−メンタンカルボキサミド類（例えば、特許文献１５及び特許文献１６参照）、Ｎα−（メンタンカルボニル）アミノ酸アミド（例えば、特許文献１７参照）、イソプレゴール誘導体（例えば、特許文献１８）などが挙げられる。
【先行技術文献】
【特許文献】
【０００４】
【特許文献１】日本国特開昭４７−１６６４７号公報
【特許文献２】日本国特開昭４７−１６６４８号公報
【特許文献３】日本国特表２００７−５３０６８９号公報
【特許文献４】日本国特開昭４８−３３０６９号公報
【特許文献５】日本国特開昭５８−８８３３４号公報
【特許文献６】日本国特開昭６１−１９４０４９号公報
【特許文献７】日本国特開平２−２９０８２７号公報
【特許文献８】日本国特開平５−２５５１８６号公報
【特許文献９】日本国特開平５−２５５２１７号公報
【特許文献１０】日本国特開平６−６５０２３号公報
【特許文献１１】日本国特開平７−８２２００号公報
【特許文献１２】日本国特開平７−１１８１１９号公報
【特許文献１３】日本国特開２００１−２９４５４６号公報
【特許文献１４】日本国特開２００５−３４３９１５号公報
【特許文献１５】日本国特表２００７−５１１５４６号公報
【特許文献１６】日本国特表２０１１−５３０６０８号公報
【特許文献１７】日本国特開２００８−１１５１８１号公報
【特許文献１８】国際公開第２０１３／０３３５０１号
【特許文献１９】英国特許出願公告第１３９２９０７号明細書
【特許文献２０】独国特許出願公開第１０２０１２２０２８８５号明細書
【特許文献２１】米国特許第４１５７３８４号明細書
【特許文献２２】米国特許第３１１１１２７号明細書
【特許文献２３】日本国特開平１１−１５８１０７号公報
【特許文献２４】日本国特開昭５２−１０５２２３号公報
【特許文献２５】日本国特開２０１３−１８９６２３号公報
【非特許文献】
【０００５】
【非特許文献１】周知・慣用技術集（香料）第Ｉ部、平成１１年１月２９日、特許庁発行
【非特許文献２】Ｔｅｔｒａｈｅｄｒｏｎ  １９８６，Ｖｏｌ．４２，Ｎｏ．８，ｐ２２３０
【非特許文献３】Ｊ．Ｃｈｅｍ．Ｓｏｃ．Ｐｅｒｋｉｎ  Ｔｒａｎｓ．，（１９９０）：１２７５〜１２７７
【非特許文献４】Ｊ．Ｍｏｌ．Ｃａｔ．Ａ（１９９６），Ｎｏ．１０９，２０１−２０８
【非特許文献５】Ｊ．Ａｍ．Ｃｈｅｍ．Ｓｏｃ．（２００４），Ｖｏｌ．１２６，Ｎｏ．４１，１３３１２−１３３１９
【非特許文献６】Ｊ．Ｖｉｓ．Ｅｘｐ．（２０１１），Ｎｏ．５４，３１４９
【発明の概要】
【発明が解決しようとする課題】
【０００６】
しかしながら、上記の従来提案されている冷感剤は、それなりの冷感効果を有するが、冷感効果の持続性などの点で未だ十分満足できるものではない。また、感覚刺激効果についてもさらに改善することが必要とされる。【０００７】
従って、本発明の目的は、好ましくない刺激感、特異臭、苦みなどがなく、清涼感や冷涼感の持続性に優れた冷感剤または感覚刺激剤として用いることができる新規メチルメントール誘導体を提供することである。
また、本発明は、該新規メチルメントール誘導体を含有する冷感剤組成物、及び該冷感剤組成物を含有する感覚刺激剤組成物を提供することも目的とする。
さらに、本発明は、該感覚刺激剤組成物が配合された香料組成物、及び該感覚刺激剤組成物または該香料組成物が配合された製品類を提供することも目的とする。
【課題を解決するための手段】
【０００８】
本発明者らは上記課題を解決するために鋭意検討した結果、一般式（１Ａ）又は一般式（１Ｂ）で表されるメチルメントール誘導体である５，５−ジメチル−２−イソプロピルシクロヘキサン誘導体又は５，５−ジメチル−２−イソプロペニルシクロヘキサン誘導体が、冷感効果が強く、さらにその持続性に優れ、冷感物質さらには感覚刺激物質として有用であることを見出した。また、当該メチルメントール誘導体は、例えば、ｌ−メントールが冷感剤として用いられる場合には、ｌ−メントールの有する刺激臭を緩和することができることを見出した。さらには一般式（１Ａ）又は一般式（１Ｂ）で表されるメチルメントール誘導体を含有する冷感剤組成物を含む感覚刺激剤組成物が配合された香料組成物においては、香料組成物の香り立ち、残香性が高められ、該香料組成物を賦香してなる製品類にも高い香質改善効果が付与されることを見出し、これら知見に基づいて本発明を完成した。【０００９】
すなわち、本発明は以下の［１］〜［１７］に関するものである。
［１］  下記一般式（１Ａ）又は下記一般式（１Ｂ）：【００１０】
【化１】
2016153011.tif 000003
【００１１】
［式中、実線と点線の二重線は二重結合又は単結合であり、＊印は、不斉炭素原子であり、
Ｗは、水素原子、または、単結合もしくは酸素原子を介してＸと環を形成し、
Ｘは、−ＣＨＯ、−ＣＯ−Ｙまたは−Ｏ−Ｚを表し、
Ｙは、以下の式（ｉ）または式（ｉｉ）に示す基であり、
（ｉ）ＮＲ１Ｒ２
（ｉｉ）ＯＲ３
（式（ｉ）及び式（ｉｉ）中、Ｒ１〜Ｒ３は、互いに独立して水素原子、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。）
Ｚは、以下の式（ｉｉｉ）または式（ｖｉ）に示す基である。
（ｉｉｉ）Ｒ４
（ｖｉ）ＣＯＲ５
（式（ｉｉｉ）中、Ｒ４は、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。
式（ｖｉ）中、Ｒ５は、水素原子、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。）］
で表されるメチルメントール誘導体を含有する冷感剤組成物。【００１２】
［２］  前記メチルメントール誘導体が、（２Ｓ）−体である前記［１］に記載の冷感剤組成物。
［３］  前記メチルメントール誘導体以外の冷感物質を少なくとも１種更に含有する前記［１］又は［２］に記載の冷感剤組成物。
［４］  前記メチルメントール誘導体以外の冷感物質が、
メントール、メントン、カンファー、プレゴール、イソプレゴール、シネオール、キュベノール、酢酸メンチル、酢酸プレギル、酢酸イソプレギル、サルチル酸メンチル、サルチル酸プレギル、サルチル酸イソプレギル、３−（ｌ−メントキシ）プロパン−１，２−ジオール、２−メチル−３−（ｌ−メントキシ）プロパン−１，２−ジオール、２−（ｌ−メントキシ）エタン−１−オール、３−（ｌ−メントキシ）プロパン−１−オール、４−（ｌ−メントキシ）ブタン−１−オール、３−ヒドロキシブタン酸メンチル、グリオキシル酸メンチル、ｐ−メンタン−３，８−ジオール、１−（２−ヒドロキシ−４−メチルシクロヘキシル）エタノン、乳酸メンチル、メントングリセリンケタール、メンチル−２−ピロリドン−５−カルボキシラート、モノメンチルスクシナート、モノメンチルスクシナートのアルカリ金属塩、モノメンチルスクシナートのアルカリ土類金属塩、モノメンチルグルタラート、モノメンチルグルタラートのアルカリ金属塩、モノメンチルグルタラートのアルカリ土類金属塩、Ｎ−［［５−メチル−２−（１−メチルエチル）シクロヘキシル］カルボニル］グリシン、ｐ−メンタン−３−カルボン酸グリセロールエステル、メントールプロピレングリコールカルボナート、メントールエチレングリコールカルボナート、ｐ−メンタン−２，３−ジオール、２−イソプロピル−Ｎ，２，３−トリメチルブタンアミド、Ｎ−エチル−ｐ−メンタン−３−カルボキサミド、３−（ｐ−メンタン−３−カルボキサミド）酢酸エチル、Ｎ−（４−メトキシフェニル）−ｐ−メンタンカルボキサミド、Ｎ−エチル−２，２−ジイソプロピルブタンアミド、Ｎ−シクロプロピル−ｐ−メンタンカルボキサミド、Ｎ−（４−シアノメチルフェニル）−ｐ−メンタンカルボキサミド、Ｎ−（２−ピリジン−２−イル）−３−ｐ−メンタンカルボキサミド、Ｎ−（２−ヒドロキシエチル）−２−イソプロイル−２，３−ジメチルブタンアミド、Ｎ−（１，１−ジメチル−２−ヒドロキシエチル）−２，２−ジエチルブタンアミド、シクロプロパンカルボン酸（２−イソプロピル−５−メチルシクロヘキシル）アミド、Ｎ−エチル−２，２−ジイソプロピルブタンアミド、Ｎ−［４−（２−アミノ−２−オキソエチル）フェニル］−ｐ−メンタンカルボキサミド、２−［（２−ｐ−メントキシ）エトキシ］エタノール、２，６−ジエチル−５−イソプロピル−２−メチルテトラヒドロピラン、及びトランス−４−ｔｅｒｔ−ブチルシクロヘキサノールから選ばれる一種以上の化合物；
キシリトール、エリスリトール、デキストロース、及びソルビトールから選ばれる一種以上の糖アルコール；並びに
和種ハッカオイル、ペパーミントオイル、スペアーミントオイル、及びユーカリプタスオイルから選ばれる一種以上の天然物；
からなる群より選ばれる少なくとも１の冷感物質である前記［３］に記載の冷感剤組成物。
［５］  前記［１］乃至［４］のいずれか１に記載の冷感剤組成物を含有する感覚刺激剤組成物。
［６］  温感物質の少なくとも１種を更に含有する前記［５］に記載の感覚刺激剤組成物。
［７］  前記温感物質が、
バニリルメチルエーテル、バニリルエチルエーテル、バニリルプロピルエーテル、バニリルイソプロピルエーテル、バニリルブチルエーテル、バニリルアミルエーテル、バニリルイソアミルエーテル、バニリルヘキシルエーテル、イソバニリルメチルエーテル、イソバニリルエチルエーテル、イソバニリルプロピルエーテル、イソバニリルイソプロピルエーテル、イソバニリルブチルエーテル、イソバニリルアミルエーテル、イソバニリルイソアミルエーテル、イソバニリルヘキシルエーテル、エチルバニリルメチルエーテル、エチルバニリルエチルエーテル、エチルバニリルプロピルエーテル、エチルバニリルイソプロピルエーテル、エチルバニリルブチルエーテル、エチルバニリルアミルエーテル、エチルバニリルイソアミルエーテル、エチルバニリルヘキシルエーテル、バニリンプロピレングリコールアセタール、イソバニリンプロピレングリコールアセタール、エチルバニリンプロピレングリコールアセタール、バニリルブチルエーテル酢酸エステル、イソバニリルブチルエーテル酢酸エステル、エチルバニリルブチルエーテル酢酸エステル、４−（ｌ−メントキシメチル）−２−（３’−メトキシ−４’−ヒドロキシフェニル）−１，３−ジオキソラン、４−（ｌ−メントキシメチル）−２−（３’−ヒドロキシ−４’−メトキシフェニル）−１，３−ジオキソラン、４−（ｌ−メントキシメチル）−２−（３’−エトキシ−４’−ヒドロキシフェニル）−１，３−ジオキソラン、カプサイシン、ジヒドロカプサイシン、ノルジヒドロカプサインシン、ホモジヒドロカプサインシン、ホモカプサインシン、ビスカプサンシン、トリスホモカプサンシン、ノルノルカプサンシン、ノルカプサンシン、カプサイシノール、バニリルカプリルアミド（オクチル酸バニリルアミド）、バニリルペリラゴンアミド（ノニル酸バニリルアミド）、バニリルカプロアミド（デシル酸バニリルアミド）、バニリルウンデカンアミド（ウンデシル酸バニリルアミド）、Ｎ−トランス−フェルロイルチラミン、Ｎ−５−（４−ヒドロキシ−３−メトキシフェニル）−２Ｅ，４Ｅ−ペンタジエノイルピペリジン、Ｎ−トランス−フェルロイルピペリジン、Ｎ−５−（４−ヒドロキシ−３−メトキシフェニル）−２Ｅ−ペンテノイルピペリジン、Ｎ−５−（４−ヒドロキシフェニル）−２Ｅ，４Ｅ−ペンタジエノイルピペリジン、ピペリン、イソピペリン、シャビシン、イソシャビシン、ピペラミン、ピペレチン、ピペロレインＢ，レトロフラクタミドＡ、ピペラシド、グイネンサイド、ピペリリン、ピペラミドＣ５：１（２Ｅ）、ピペラミドＣ７：１（６Ｅ）、ピペラミドＣ７：２（２Ｅ，６Ｅ）、ピペラミドＣ９：１（８Ｅ）、ピペラミドＣ９：２（２Ｅ，８Ｅ）、ピペラミドＣ９：３（２Ｅ，４Ｅ，８Ｅ）、ファガラミド、サンショオール−Ｉ、サンショオール−ＩＩ、ヒドロキシサンショオール、サンショウアミド、ジンゲロール、ショウガオール、ジンゲロン、メチルジンゲロール、パラドール、スピラントール、カビシン、ポリゴジアール（タデオナール）、イソポリゴジアール、ジヒドロポリゴジアール、及びタデオンから選ばれる一種以上の化合物；並びに
トウガラシ油、トウガラシオレオレジン、ジンジャーオレオレジン、ジャンブーオレオレジン（キバナオランダセンニチ抽出物）、サンショウエキス、サンショウアミド、黒胡椒エキス、白胡椒エキス、及びタデエキスから選ばれる一種以上の天然物；
からなる群より選ばれる少なくとも１の温感物質である前記［６］に記載の感覚刺激剤組成物。
［８］  前記［５］乃至［７］のいずれか１に記載の感覚刺激剤組成物を含有する香料組成物。
［９］  前記［５］乃至［７］のいずれか１に記載の感覚刺激剤組成物を０．００００１〜９０質量％含有する香料組成物。
［１０］  飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品からなる群より選ばれるいずれかの製品であって前記［５］乃至［７］のいずれか１に記載の感覚刺激剤組成物を含有する製品。
［１１］  飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品からなる群より選ばれるいずれかの製品であって、前記［５］乃至［７］のいずれか１に記載の感覚刺激剤組成物を０．００００１〜５０質量％含有する製品。
［１２］  飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品からなる群より選ばれるいずれかの製品であって、前記［８］又は［９］に記載の香料組成物を含有する製品。
［１３］  飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品からなる群より選ばれるいずれかの製品であって、前記［８］又は［９］に記載の香料組成物を０．００００１〜５０質量％含有する製品。
［１４］  飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品からなる群より選ばれるいずれかの製品の製造方法であって、前記［５］乃至［７］のいずれか１に記載の感覚刺激剤組成物を配合する製品の製造方法。
［１５］  飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品からなる群より選ばれるいずれかの製品の製造方法であって、前記［８］又は［９］に記載の香料組成物を配合する製品の製造方法。
［１６］  下記一般式（１Ａ’）：【００１３】
【化２】
2016153011.tif 000004
【００１４】
［式中、実線と点線の二重線は二重結合又は単結合であり、＊印は、不斉炭素原子であり、
Ｗは、水素原子、または、単結合もしくは酸素原子を介してＸ’と環を形成し、
Ｘ’は、−ＣＨＯ、−ＣＯ−Ｙ’または−Ｏ−Ｚを表し、
Ｙ’は、以下の式（ｉ）または式（ｉｉ’）に示す基であり、
（ｉ）ＮＲ１Ｒ２
（ｉｉ’）ＯＲ３’
（式（ｉ）中、Ｒ１及びＲ２は、互いに独立して水素原子、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。
式（ｉｉ’）中、Ｒ３’は、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。）
Ｚは、以下の式（ｉｉｉ）または式（ｖｉ）に示す基である。
（ｉｉｉ）Ｒ４
（ｖｉ）ＣＯＲ５
（式（ｉｉｉ）中、Ｒ４は、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。
式（ｖｉ）中、Ｒ５は、水素原子、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。）］
で表されるメチルメントール誘導体。【００１５】
［１７］  前記メチルメントール誘導体が、（２Ｓ）−体である前記［１６］に記載のメチルメントール誘導体。
【発明の効果】
【００１６】
本発明のメチルメントール誘導体は、好ましくない刺激感、特異臭、苦みなどがなく、各種の製品類に配合することにより、これらの製品類に持続性に優れた清涼感や冷涼感を付与することができる。更に該メチルメントール誘導体は、人体に対して好ましくない皮膚刺激感をほとんど生じないという優れた特性を発揮する。また保存時にも着色することなく、安定性に優れた化合物である。
【発明を実施するための形態】
【００１７】
以下、本発明を詳細に説明するが、本発明は以下の実施形態に限定されるものではなく、本発明の要旨を逸脱しない範囲において、任意に変形して実施することができる。また、本明細書において、「式（Ｘ）で表される化合物」を単に「化合物（Ｘ）」と称することがある。
本明細書において、“重量％”と“質量％”とは同義である。また、単位“ｐｐｍ”と記載した場合には、“重量ｐｐｍ”のことを示す。さらに、数値範囲を示す「〜」とは、その前後に記載された数値を下限値及び上限値として含む意味で使用される。
本発明にかかる冷感剤組成物は、下記一般式（１Ａ）で表される新規メチルメントール誘導体（以下、「メチルメントール誘導体（１Ａ）」ともいう）又は下記一般式（１Ｂ）で表される新規メチルメントール誘導体（以下、「メチルメントール誘導体（１Ｂ）」ともいう）である５，５−ジメチル−２−イソプロピルシクロヘキサン誘導体又は５，５−ジメチル−２−イソプロペニルシクロヘキサン誘導体を冷感物質として含有することを特徴とする。
【００１８】
【化３】
2016153011.tif 000005
【００１９】
［式中、実線と点線の二重線は二重結合又は単結合であり、＊印は、不斉炭素原子であり、
Ｗは、水素原子、または、単結合もしくは酸素原子を介してＸと環を形成し、
Ｘは、−ＣＨＯ、−ＣＯ−Ｙまたは−Ｏ−Ｚを表し、
Ｙは、以下の式（ｉ）または式（ｉｉ）に示す基であり、
（ｉ）ＮＲ１Ｒ２
（ｉｉ）ＯＲ３
（式（ｉ）及び式（ｉｉ）中、Ｒ１〜Ｒ３は、互いに独立して水素原子、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。）
Ｚは、以下の式（ｉｉｉ）または式（ｖｉ）に示す基である。
（ｉｉｉ）Ｒ４
（ｖｉ）ＣＯＲ５
（式（ｉｉｉ）中、Ｒ４は、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。
式（ｖｉ）中、Ｒ５は、水素原子、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。）］
【００２０】
一般式（１Ａ）で表されるメチルメントール誘導体は、シクロヘキサン環構造を有し、次の式に示すように１位と２位が不斉炭素を有している。
【００２１】
【化４】
2016153011.tif 000006
【００２２】
（式中、実線と点線の二重線、＊印、Ｗ及びＸは前記と同義である。）
具体的には、一般式（１Ａ）で表されるメチルメントール誘導体として、次の式（１−１）〜式（１−４）に示される４種のジアステレオマーが存在する。
【００２３】
【化５】
2016153011.tif 000007
【００２４】
（式中、実線と点線の二重線、Ｗ及びＸは前記と同義である。）
【００２５】
一般式（１Ａ）で表されるメチルメントール誘導体は、好ましくは光学活性体、より好ましくは（２Ｓ）−体、特に好ましく（１Ｒ，２Ｓ）−体である。また、一般式（１Ｂ）で表されるメチルメントール誘導体についても、（２Ｓ）−体が好ましい。
【００２６】
また、一般式（１Ａ）で表されるメチルメントール誘導体のうち、下記一般式（１Ａ’）で表されるメチルメントール誘導体（以下、「メチルメントール誘導体（１Ａ’）」ともいう）は、従来知られていない新規な５，５−ジメチル−２−イソプロピルシクロヘキサン誘導体化合物、または、５，５−ジメチル−２−イソプロペニルシクロヘキサン誘導体化合物である。
【００２７】
【化６】
2016153011.tif 000008
【００２８】
［式中、実線と点線の二重線は二重結合又は単結合であり、＊印は、不正炭素原子であり、
Ｗは、水素原子、または、単結合もしくは酸素原子を介してＸ’と環を形成し、
Ｘ’は、−ＣＨＯ、−ＣＯ−Ｙ’または−Ｏ−Ｚを表し、
Ｙ’は、以下の式（ｉ）または式（ｉｉ’）に示す基であり、
（ｉ）ＮＲ１Ｒ２
（ｉｉ’）ＯＲ３’
（式（ｉ）中、Ｒ１及びＲ２は、互いに独立して水素原子、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。
式（ｉｉ’）中、Ｒ３’は、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。）
Ｚは、以下の式（ｉｉｉ）または式（ｖｉ）に示す基である。
（ｉｉｉ）Ｒ４
（ｖｉ）ＣＯＲ５
（式（ｉｉｉ）中、Ｒ４は、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。
式（ｖｉ）中、Ｒ５は、水素原子、置換基を有していてもよい直鎖状若しくは分岐状の炭素数１〜１０のアルキル基、置換基を有していてもよい直鎖状若しくは分岐状の炭素数２〜１０のアルケニル基、置換基を有していてもよい炭素数３〜１０のシクロアルキル基、置換基を有していてもよい炭素数６〜２０のアリール基、または、置換基を有していてもよい炭素数２〜１５の複素環基である。）］
【００２９】
一般式（１Ａ’）で表されるメチルメントール誘導体は、一般式（１Ａ）で表されるメチルメントール誘導体と同様に、シクロヘキサン環構造を有し、１位と２位が不斉炭素を有していることから、４種のジアステレオマーが存在する。
一般式（１Ａ’）で表されるメチルメントール誘導体は、好ましくは光学活性体、より好ましくは（２Ｓ）−体、特に好ましく（１Ｒ，２Ｓ）−体である。
【００３０】
一般式（１Ａ）、一般式（１Ａ’）又は一般式（１Ｂ）で表されるメチルメントール誘導体の官能基について、以下に説明する。
置換基を有していてもよい直鎖状または分岐状の炭素数１〜１０のアルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基、ヘプチル基、オクチル基、ノニル基及びデシル基などを例示することができる。
【００３１】
置換基を有していてもよい直鎖状または分岐状の炭素数２〜１０のアルケニル基としては、例えば、ビニル基、アリル基、１−プロペニル基、イソプロペニル基、１−ブテニル基、２−ブテニル基、３−ブチニル基、２−メチルアリル基、ペンテニル基、ヘキセニル基、ヘプテニル基、オクテニル基、ノネニル基及びデセニル基などを例示することができる。
【００３２】
置換基を有していてもよい置換基を有していてもよい炭素数３〜１０のシクロアルキル基としては、例えば、シクロプロピル基、シクロブチル基、シクロペンチル基、シクロヘキシル基、シクロヘプチル基、シクロオクチル基、シクロノニル基、シクロデシル基、シクロヘキシルシクロヘキシル基、デカヒドロナフチル基、ノルボルニル基、アダマンチル基及びイソボルニル基などを例示することができる。
【００３３】
置換基を有していてもよい炭素数６〜２０のアリール基としては、例えば、炭素数６〜２０の芳香族単環式基、芳香族多環式基または芳香族縮合環式基が挙げられる。具体的には、フェニル基、ナフチル基、アントリル基、フェナントリル基、インデニル基などを例示することができる。
【００３４】
置換基を有していてもよい炭素数２〜１５の複素環基としては、脂肪族複素環基及び芳香族複素環基が挙げられる。
脂肪族複素環基としては、例えば、炭素数２〜１４で、異種原子を少なくとも１個、好ましくは１〜３個含んでいる３〜８員環、好ましくは５員または６員の、単環、多環または縮合環式等の脂肪族複素環基が挙げられる。異種原子としては、窒素原子、酸素原子、硫黄原子等のヘテロ元素が挙げられる。
【００３５】
脂肪族複素環基の具体例としては、例えば、オキシラニル基、アジリジニル基、２−オキソピロピジル基、ピペリジル基、ピペラジニル基、モルホリノ基、テトラヒドロフリル基、テトラヒドロピラニル基、テトラヒドロチエニル基などを例示することができる。
【００３６】
一方、芳香族複素環基としては、例えば、炭素数２〜１５で、異種元素を少なくとも１個、好ましくは１〜３個含んでいる５〜８員環、好ましくは５員または６員の、単環、多環または縮合環式等の芳香族複素環（ヘテロアリール）基が挙げられる。異種原子としては、窒素原子、酸素原子、硫黄原子等のヘテロ元素が挙げられる。
【００３７】
芳香族複素環基の具体例としては、例えば、テトラジニル基、フリル基、チエニル基、ピリジル基、ピリニジル基、ピラジニル基、ピラダジニル基、イミダゾイル基、オキサゾイル基、チアゾイル基、ベンゾフリル基、ベンゾチエニル基、キノリル基、イソキノリル基、キノキサノイル基、フタラジニル基、キナゾリニル基、ナフチルジニル基、シンノリニル基、ベンゾイミダゾリン基、ベンゾオキサゾリル基、ベンゾチアゾリル基等を例示することができる。
【００３８】
有していてもよい置換基としては、例えば、メチル基、エチル基、ｎ−プルピル基、イソプロピル基、ｎ−ブチル基、イソブチル基、ｓｅｃ−ブチル基、ｔｅｒｔ−ブチル基、ペンチル基及びヘキシル基などの炭素数１乃至６のアルキル基；シクロペンチル基、シクロヘキシル基及びシクロヘプチル基などの炭素数５乃至８のシクロアルキル基；水酸基；メトキシ基、エトキシ基、ｎ−プロポキシル基、イソプロポキシ基、ｎ−ブトキシ基、イソブトキシ基、ｓｅｃ−ブトキシ基、メチレンジオキシ基、及びｔｅｒｔ−ブトキシ基などの炭素数１乃至４のアルコキシ基；フッ素原子、塩素原子、臭素原子及びヨウ素原子などのハロゲン原子；ベンジル基、フェニルエチル基及びナフチルメチル基などの炭素数７乃至１２のアラルキル基；カルボキシ基；メトキシカルボニル基、エトキシカルボニル基、ベンジルオキシカルボニル基等の炭素数２〜８のアルコキシカルボニル基；カルボキサミド基；ジメチルアミノ基、ジエチルアミノ基及びジブチルアミノ基などの炭素数２乃至８のジアルキルアミノ基；ニトリル基；シアノメチル基、シアノエチル基、シアノプロピル基及びシアノブチル基などのシアノアルキル（該アルキル基の炭素数１〜４）基；オキシラニル基、アジリジニル基、２−オキソピロピジル基、ピペリジル基、ピペラジニル基、モルホリノ基、テトラヒドロフリル基、テトラヒドロピラニル基及びテトラヒドロチエニル基などの脂肪族複素環基；テトラジニル基、フリル基、チエニル基、ピリジル基、ピリジニル基、ピラジニル基、ピラダジニル基、イミダゾイル基、オキサゾイル基、チアゾイル基、ベンゾフリル基、ベンゾチエニル基、キノリル基、イソキノリル基、キノキサノイル基、フタラジニル基、キナゾリニル基、ナフチルジニル基、シンノリニル基、ベンゾイミダゾリン基、ベンゾオキサゾリル基及びベンゾチアゾリル基などの芳香族複素環基等を例示することができる。
【００３９】
単結合もしくは酸素原子を介してＷとＸ又はＸ’とが一緒になって環を形成する場合、酸素原子を有していてもよい５〜６員環を形成することができる。
酸素原子を有していてもよい５〜６員環としては、例えば、フラン環、テトラヒドロフラン環、ジオキソラン環、ジオキサン環、トリオキソシクロヘキサン環、γ−ブチロラクトン環、δ−ペンタラクトン環などを例示することができる。
【００４０】
本発明のメチルメントール誘導体（１Ａ）、メチルメントール誘導体（１Ａ’）、メチルメントール誘導体（１Ｂ）は、例えば、以下のスキーム１〜スキーム９で表される方法により合成される。しかし、その合成方法は以下のスキーム１〜スキーム９の方法に限定されるものではない。なお、スキーム１〜スキーム９ではメチルメントール誘導体（１Ａ）を例に説明するが、メチルメントール誘導体（１Ａ’）及びメチルメントール誘導体（１Ｂ）の合成方法についても同様である。
【００４１】
本発明のメチルメントール誘導体（１Ａ）の基本骨格である下記式（４）で表される５，５−ジメチル−２−（１−プロペン−２−イル）シクロヘキサノール及び下記式（５）で表される２−イソプロピル−５，５−ジメチルシクロヘキサノールは、例えば、以下のスキーム１で示される方法に従って、シトラール、ゲラニアール、ネラール、ピペリトン又はイソピペリテノンより合成される。
【００４２】
【化７】
2016153011.tif 000009
【００４３】
（式中、実線と点線の二重線及び＊印は前記と同義である。）
工程［Ａ］、工程［Ｂ］及び工程［Ｄ］は、非特許文献２（Ｔｅｔｒａｈｅｄｒｏｎ  １９８６，Ｖｏｌ．４２，Ｎｏ．８，ｐ２２３０）と同様の手法によって行うことができる。すなわち、工程［Ａ］は共役付加（１，４−付加）反応により行うことができ、工程［Ｂ］は分子内プリンス反応により行うことができ、工程［Ｄ］は共役付加（１，４−付加）反応により行うことができる。また工程［Ｃ］は、通常使用されるニッケルやパラジウム等の金属触媒により水素添加することよって行うことができる。工程［Ｅ］は、非特許文献４と同様な手法、すなわち、水素化反応により行うことができる。
【００４４】
なお、以下、化合物（７ａ）と化合物（７ｂ）を合わせて一般式（７）で示されるケトン化合物（以下、「ケトン化合物（７）」ともいう）と記載する。
【００４５】
【化８】
2016153011.tif 000010
【００４６】
（式中、実線と点線の二重線及び＊印は前記と同義である。）
【００４７】
また、以下、化合物（４）と化合物（５）を合わせて一般式（８）で示されるアルコール化合物（以下、「アルコール化合物（８）」ともいう）と記載する。
【００４８】
【化９】
2016153011.tif 000011
【００４９】
（式中、実線と点線の二重線及び＊印はそれぞれ前記と同義である。）
【００５０】
本発明の一般式（１１）で示されるカルボン酸化合物［５，５−ジメチル−２−イソプロピルシクロヘキサンカルボン酸（１１ａ）及び５，５−ジメチル−２−イソプロペニルシクロヘキサンカルボン酸（１１ｂ）］（以下、「カルボン酸化合物（１１）」ともいう）は、例えば、以下のスキーム２で示される方法に従って、アルコール化合物（８）及びケトン化合物（７）より合成される。
一方、一般式（１３）で示されるアルデヒド化合物［５，５−ジメチル−２−イソプロピルシクロヘキサンカルバルデヒド（１３ａ）及び５，５−ジメチル−２−イソプロペニルシクロヘキサンカルバルデヒド（１３ｂ）］（以下、「アルデヒド化合物（１３）」ともいう）は、例えば、以下のスキーム２で示される方法に従って、ケトン化合物（７）より合成される。
【００５１】
【化１０】
2016153011.tif 000012
【００５２】
（式中、＊印及び実線と点線の二重線は前記と同義であり、Ｒ７及びＲ８は置換基を有していてもよい直鎖状または分岐状の炭素数１〜１０のアルキル基、Ｖはハロゲン原子である。）
工程［Ｆ］のハロゲン化反応は、例えば、五塩化リンと反応させればハロゲン化物（９）（Ｖ＝Ｃｌ）を合成することができる。また、非特許文献３（Ｊ．Ｃｈｅｍ．Ｓｏｃ．Ｐｅｒｋｉｎ  Ｔｒａｎｓ．，（１９９０）：１２７５〜１２７７）と同様な手法によって行うことができる。工程［Ｇ］及び工程［Ｈ］は、特許文献１９と同様な手法によって行うことができる。工程［Ｉ］、工程［Ｊ］及び工程［Ｋ］は、特許文献２０と同様な手法によって行うことができる。工程［Ｔ］及び工程［Ｕ］は、非特許文献５（Ｊ．Ａｍ．Ｃｈｅｍ．Ｓｏｃ．（２００４），Ｖｏｌ．１２６，Ｎｏ４１，１３３１２−１３３１９）と同様な手法によって行うことができる。
【００５３】
本発明の一般式（１Ａ）で表される化合物のうち、Ｗ＝Ｈ、Ｘ＝ＣＯＮＲ１Ｒ２である一般式（１４）で示されるアミド化合物（以下、「アミド化合物（１４）ともいう」は、例えば、以下のスキーム３で示される方法に従って、カルボン酸化合物（１１）より合成される。
【００５４】
【化１１】
2016153011.tif 000013
【００５５】
（式中、実線と点線の二重線、＊印、Ｒ１及びＲ２は前記と同義である。）
工程［Ｌ］は、特許文献１８と同様の手法によって行うことができる。
【００５６】
さらに、本発明のアミド化合物（１４）は、例えば、以下のスキーム４で示される方法に従って、カルボン酸化合物（１１）より合成することも可能である。
【００５７】
【化１２】
2016153011.tif 000014
【００５８】
（式中、実線と点線の二重線、＊印、Ｒ１及びＲ２は前記と同義である。）
工程［Ｍ］は、特許文献２または特許文献１８と同様の手法によって行うことができる。
【００５９】
本発明の一般式（１Ａ）で表される化合物のうち、Ｗ＝Ｈ、Ｘ＝ＣＯＯＲ３である一般式（１５）で示されるカルボン酸エステル化合物（以下、「カルボン酸エステル化合物（１５）」ともいう）は、例えば、以下のスキーム５で示される方法に従って、カルボン酸化合物（１１）より合成される。
【００６０】
【化１３】
2016153011.tif 000015
【００６１】
（式中、実線と点線の二重線、＊印及びＲ３は前記と同義である。）
工程［Ｎ］は、特許文献２１と同様の手法によって行うことができる。
【００６２】
本発明の一般式（１Ａ）で表される化合物のうち、Ｗ＝Ｈ、Ｘ＝ＯＣＯ（ＣＨ２）ｎＣＯＯＨである一般式（１２）で示されるジカルボン酸モノエステル化合物（以下、「ジカルボン酸モノエステル化合物（１６）ともいう」は、例えば、以下のスキーム６で示される方法に従って、アルコール化合物（８）より合成される。
【００６３】
【化１４】
2016153011.tif 000016
【００６４】
（式中、実線と点線の二重線、＊印は前記と同義であり。ｎは０〜６の自然数である）
工程［Ｏ］は、特許文献２２と同様の手法によって行うことができる。
【００６５】
本発明の一般式（１Ａ）で表される化合物のうち、Ｗ＝Ｈ、Ｘ＝ＯＣＯＲ５である一般式（１７）で示されるエステル化合物（以下、「エステル化合物（１７）」ともいう）は、例えば、以下のスキーム７で示される方法に従って、アルコール化合物（８）より合成される。
【００６６】
【化１５】
2016153011.tif 000017
【００６７】
（式中、実線と点線の二重線、＊印、Ｒ５及びＶは前記と同義である。）
工程［Ｐ］は、特許文献６と同様の手法によって行うことができる。
【００６８】
本発明の一般式（１Ａ）で表される化合物のうち、Ｗ＝Ｈ、Ｘ＝ＯＲ４である一般式（１８）で示されるエーテル化合物（以下、「エーテル化合物（１８）」ともいう）は、例えば、以下のスキーム８で示される方法に従って、アルコール化合物（８）より合成される。
【００６９】
【化１６】
2016153011.tif 000018
【００７０】
（式中、実線と点線の二重線、＊印及びＲ４は前記と同義である。）
工程［Ｑ］は、特許文献１３と同様の手法によって行うことができる。
【００７１】
本発明の一般式（１Ａ）で表される化合物のうち、ＷとＸが一緒になって−ＯＣＨ２ＣＨＲ６（ＣＨ２）ｍＯ−で表される環を形成した一般式（１９）で示されるケタール化合物（以下、「ケタール化合物（１９）」ともいう）は、例えば、以下のスキーム９で示される方法に従って、アルコール化合物（８）より合成される。
【００７２】
【化１７】
2016153011.tif 000019
【００７３】
（式中、実線と点線の二重線及び＊印は前記と同義であり、ｍは０〜６の自然数であり、Ｒ６は水酸基又はヒドロキシメチル基である。）
工程［Ｒ］は、特許文献２３と同様の手法によって行うことができる。工程［Ｓ］は、特許文献２４と同様の手法によって行うことができる。
【００７４】
本発明のメチルメントール誘導体（１Ａ）の好ましい具体例として、カルボン酸化合物（１１）、アミド化合物（１４）、カルボン酸エステル化合物（１５）、ジカルボン酸モノエステル化合物（１６）、エステル化合物（１７）、エーテル化合物（１８）及びケタール化合物（１９）が挙げられるが、これらに限定されるものではない。
本発明のメチルメントール誘導体（１Ａ）において、カルボン酸化合物（１１）及びアルデヒド化合物（１３）の好ましい具体例としては、以下の化合物が挙げられるが、これらに限定されるものではない。
以下の化合物中、＊印は不斉炭素を表す。
【００７５】
【化１８】
2016153011.tif 000020
【００７６】
本発明のメチルメントール誘導体（１Ａ）において、アミド化合物（１４）の好ましい具体例としては、以下の化合物が挙げられるが、これらに限定されるものではない。
以下の化合物中、Ｍｅはメチル基を、Ｅｔはエチル基を、ｉＰｒはイソプロピル基を、＊印は不斉炭素を表す。
【００７７】
【化１９】
2016153011.tif 000021
【００７８】
【化２０】
2016153011.tif 000022
【００７９】
【化２１】
2016153011.tif 000023
【００８０】
【化２２】
2016153011.tif 000024
【００８１】
【化２３】
2016153011.tif 000025
【００８２】
【化２４】
2016153011.tif 000026
【００８３】
【化２５】
2016153011.tif 000027
【００８４】
【化２６】
2016153011.tif 000028
【００８５】
【化２７】
2016153011.tif 000029
【００８６】
【化２８】
2016153011.tif 000030
【００８７】
本発明のメチルメントール誘導体（１Ａ）において、カルボン酸エステル化合物（１５）の好ましい具体例としては、以下の化合物が挙げられるが、これらに限定されるものではない。
以下の化合物中、＊印は不斉炭素を表す。
【００８８】
【化２９】
2016153011.tif 000031
【００８９】
【化３０】
2016153011.tif 000032
【００９０】
本発明のメチルメントール誘導体（１Ａ）において、ジカルボン酸モノエステル化合物（１６）の好ましい具体例としては、以下の化合物が挙げられるが、これらに限定されるものではない。
以下の化合物中、＊印は不斉炭素を表す。
【００９１】
【化３１】
2016153011.tif 000033
【００９２】
【化３２】
2016153011.tif 000034
【００９３】
本発明のメチルメントール誘導体（１Ａ）において、エステル化合物（１７）の好ましい具体例としては、以下の化合物が挙げられるが、これらに限定されるものではない。
以下の化合物中、＊印は不斉炭素を表す。
【００９４】
【化３３】
2016153011.tif 000035
【００９５】
【化３４】
2016153011.tif 000036
【００９６】
本発明のメチルメントール誘導体（１Ａ）において、エーテル化合物（１８）の好ましい具体例としては、以下の化合物が挙げられるが、これらに限定されるものではない。
以下の化合物中、＊印は不斉炭素を表す。
【００９７】
【化３５】
2016153011.tif 000037
【００９８】
【化３６】
2016153011.tif 000038
【００９９】
本発明のメチルメントール誘導体（１Ａ）において、ケタール化合物（１９）の好ましい具体例としては、以下の化合物が挙げられるが、これらに限定されるものではない。
以下の化合物中、＊印は不斉炭素を表す。
【０１００】
【化３７】
2016153011.tif 000039
【０１０１】
このようにして得られた本発明の一般式（１Ａ）又は一般式（１Ｂ）で表されるメチルメントール誘導体は、強く、持続性のある冷感効果を有し、そのまま単独で冷感剤または感覚刺激剤として利用することができる。
【０１０２】
本発明のメチルメントール誘導体は、製品の種類、使用目的などにより、その適用範囲や適用方法を適宜変える必要があるが、通常、製品の全組成に対して０．００００１〜５０質量％、好ましくは０．０００１〜２０質量％、特に好ましくは０．００１〜５質量％の濃度で用いられるのが好ましい。
【０１０３】
本発明にかかるメチルメントール誘導体を含む冷感剤組成物では、本発明のメチルメントール誘導体以外の冷感物質から選ばれる少なくとも１種を本発明のメチルメントール誘導体と併用することにより、冷感強度をより高めた冷感剤組成物とすることができる。さらには、冷感強度を高めた、当該冷感剤組成物を含有する感覚刺激剤組成物を調製することができる。
【０１０４】
前記本発明のメチルメントール誘導体に含まれない冷感物質としては、例えば；
メントール、メントン、カンファー、プレゴール、イソプレゴール、シネオール、キュベノール、酢酸メンチル、酢酸プレギル、酢酸イソプレギル、サルチル酸メンチル、サルチル酸プレギル、サルチル酸イソプレギル、３−（ｌ−メントキシ）プロパン−１，２−ジオール、２−メチル−３−（ｌ−メントキシ）プロパン−１，２−ジオール、２−（ｌ−メントキシ）エタン−１−オール、３−（ｌ−メントキシ）プロパン−１−オール、４−（ｌ−メントキシ）ブタン−１−オール、３−ヒドロキシブタン酸メンチル、グリオキシル酸メンチル、ｐ−メンタン−３，８−ジオール、１−（２−ヒドロキシ−４−メチルシクロヘキシル）エタノン、乳酸メンチル、メントングリセリンケタール、メンチル−２−ピロリドン−５−カルボキシラート、モノメンチルスクシナート、モノメンチルスクシナートのアルカリ金属塩、モノメンチルスクシナートのアルカリ土類金属塩、モノメンチルグルタラート、モノメンチルグルタラートのアルカリ金属塩、モノメンチルグルタラートのアルカリ土類金属塩、Ｎ−［［５−メチル−２−（１−メチルエチル）シクロヘキシル］カルボニル］グリシン、ｐ−メンタン−３−カルボン酸グリセロールエステル、メントールプロピレングリコールカルボナート、メントールエチレングリコールカルボナート、ｐ−メンタン−２，３−ジオール、２−イソプロピル−Ｎ，２，３−トリメチルブタンアミド、Ｎ−エチル−ｐ−メンタン−３−カルボキサミド、３−（ｐ−メンタン−３−カルボキサミド）酢酸エチル、Ｎ−（４−メトキシフェニル）−ｐ−メンタンカルボキサミド、Ｎ−エチル−２，２−ジイソプロピルブタンアミド、Ｎ−シクロプロピル−ｐ−メンタンカルボキサミド、Ｎ−（４−シアノメチルフェニル）−ｐ−メンタンカルボキサミド、Ｎ−（２−ピリジン−２−イル）−３−ｐ−メンタンカルボキサミド、Ｎ−（２−ヒドロキシエチル）−２−イソプロイル−２，３−ジメチルブタンアミド、Ｎ−（１，１−ジメチル−２−ヒドロキシエチル）−２，２−ジエチルブタンアミド、シクロプロパンカルボン酸（２−イソプロピル−５−メチルシクロヘキシル）アミド、Ｎ−エチル−２，２−ジイソプロピルブタンアミド、Ｎ−［４−（２−アミノ−２−オキソエチル）フェニル］−ｐ−メンタンカルボキサミド、２−［（２−ｐ−メントキシ）エトキシ］エタノール、２，６−ジエチル−５−イソプロピル−２−メチルテトラヒドロピラン、トランス−４−ｔｅｒｔ−ブチルシクロヘキサノールなどの化合物（α）並びにこれらのラセミ体及び光学活性体；
キシリトール、エリスリトール、デキストロース、ソルビトールなどの糖アルコール（β）；
和種ハッカオイル、ペパーミントオイル、スペアーミントオイル、ユーカリプタスオイルなどの天然物（γ）；
日本国特開２００１−２９４５４６号公報、日本国特開２００５−３４３９１５号公報、日本国特開２００７−００２００５号公報、日本国特開２００９−２６３６６４号公報、日本国特開２０１０−２５４６２１号公報、日本国特開２０１０−２５４６２２号公報、日本国特開２０１１−０７９９５３号公報、米国特許第４１３６１６３号明細書、米国特許第４１５００５２号明細書、米国特許第４１７８４５９号明細書、米国特許第４１９０６４３号明細書、米国特許第４１９３９３６号明細書、米国特許第４２２６９８８号明細書、米国特許第４２３０６８８号明細書、米国特許第４０３２６６１号明細書、米国特許第４１５３６７９号明細書、米国特許第４２９６２５５号明細書、米国特許第４４５９４２５号明細書、米国特許第５００９８９３号明細書、米国特許第５２６６５９２号明細書、米国特許第５６９８１８１号明細書、米国特許第５７２５８６５号明細書、米国特許第５８４３４６６号明細書、米国特許第６２３１９００号明細書、米国特許第６２７７３８５号明細書、米国特許第６２８０７６２号明細書、米国特許第６３０６４２９号明細書、米国特許第６４３２４４１号明細書、米国特許第６４５５０８０号明細書、米国特許第６６２７２３３号明細書、米国特許第７０７８０６６号明細書、米国特許第６７８３７８３号明細書、米国特許第６８８４９０６号明細書、米国特許第７０３０２７３号明細書、米国特許第７０９０８３２号明細書、米国特許出願公開第２００４／０１７５４８９号明細書、米国特許出願公開第２００４／０１９１４０２号明細書、米国特許出願公開第２００５／００１９４４５号明細書、米国特許出願公開第２００５／０２２２２５６号明細書、米国特許出願公開第２００５／０２６５９３０号明細書、米国特許出願公開第２００６／０１５８１９号明細書、米国特許出願公開第２００６／０２４９１６７号明細書、欧州特許出願公開第１６８９２５６号明細書、国際公開第２００５／０８２１５４号、国際公開第２００５／０９９４７３号、国際公開第２００６／０５８６００号、国際公開第２００６／０９２０７６号、国際公開第２００６／１２５３３４号に記載の化合物（δ）；
等を例示することができる。
これらは、１種または２種以上を適宜配合して用いることができる。中でも、化合物（α）、糖アルコール（β）及び天然物（γ）からなる群より選ばれる少なくとも１の冷感物質を含むことが好ましい。
【０１０５】
本発明のメチルメントール誘導体とこれに含まれない冷感物質とは、本発明の効果を損なわない範囲において任意の割合で用いることができるが、メチルメントール誘導体とこれに含まれない冷感物質の好ましい使用割合は、質量比で１：９９〜９０：１０の範囲であることが好ましい。
本発明の冷感剤組成物は、香料組成物や飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品などの製品類に配合することができる。
【０１０６】
また、本発明のメチルメントール誘導体を含む冷感剤組成物は、強く、かつ持続性のある冷感効果を有していることから、この冷感剤組成物を含有させることにより、冷感効果を有する感覚刺激剤組成物を調製することができる。感覚刺激剤組成物を調製する場合において、冷感剤組成物の配合量は、製品の種類、使用目的などにより、その適用範囲や適用方法を適宜変更する必要があるが、通常、感覚刺激剤組成物の全組成に対して０．００００１〜５０質量％、好ましくは０．０００１〜２０質量％、特に好ましくは０．００１〜４質量％の濃度で用いるのが好ましい。なお、本発明の感覚刺激剤組成物は、感覚を刺激する効果を与える組成物である。前記感覚を刺激する効果としては、冷感効果及び／又は温感効果を含み、従って、本発明においては、感覚刺激剤組成物は冷感剤組成物及び／又は温感剤組成物をも含む概念として用いられている。
【０１０７】
本発明の冷感剤組成物においては、温感物質を併用することにより、感覚刺激剤組成物の刺激効果を調整することができる。温感刺激成分としては、例えば；
バニリルメチルエーテル、バニリルエチルエーテル、バニリルプロピルエーテル、バニリルイソプロピルエーテル、バニリルブチルエーテル、バニリルアミルエーテル、バニリルイソアミルエーテル、バニリルヘキシルエーテル、イソバニリルメチルエーテル、イソバニリルエチルエーテル、イソバニリルプロピルエーテル、イソバニリルイソプロピルエーテル、イソバニリルブチルエーテル、イソバニリルアミルエーテル、イソバニリルイソアミルエーテル、イソバニリルヘキシルエーテル、エチルバニリルメチルエーテル、エチルバニリルエチルエーテル、エチルバニリルプロピルエーテル、エチルバニリルイソプロピルエーテル、エチルバニリルブチルエーテル、エチルバニリルアミルエーテル、エチルバニリルイソアミルエーテル、エチルバニリルヘキシルエーテル、バニリンプロピレングリコールアセタール、イソバニリンプロピレングリコールアセタール、エチルバニリンプロピレングリコールアセタール、バニリルブチルエーテル酢酸エステル、イソバニリルブチルエーテル酢酸エステル、エチルバニリルブチルエーテル酢酸エステル、４−（ｌ−メントキシメチル）−２−（３’−メトキシ−４’−ヒドロキシフェニル）−１，３−ジオキソラン、４−（ｌ−メントキシメチル）−２−（３’−ヒドロキシ−４’−メトキシフェニル）−１，３−ジオキソラン、４−（ｌ−メントキシメチル）−２−（３’−エトキシ−４’−ヒドロキシフェニル）−１，３−ジオキソラン、カプサイシン、ジヒドロカプサイシン、ノルジヒドロカプサインシン、ホモジヒドロカプサインシン、ホモカプサインシン、ビスカプサンシン、トリスホモカプサンシン、ノルノルカプサンシン、ノルカプサンシン、カプサイシノール、バニリルカプリルアミド（オクチル酸バニリルアミド）、バニリルペリラゴンアミド（ノニル酸バニリルアミド）、バニリルカプロアミド（デシル酸バニリルアミド）、バニリルウンデカンアミド（ウンデシル酸バニリルアミド）、Ｎ−トランス−フェルロイルチラミン、Ｎ−５−（４−ヒドロキシ−３−メトキシフェニル）−２Ｅ，４Ｅ−ペンタジエノイルピペリジン、Ｎ−トランス−フェルロイルピペリジン、Ｎ−５−（４−ヒドロキシ−３−メトキシフェニル）−２Ｅ−ペンテノイルピペリジン、Ｎ−５−（４−ヒドロキシフェニル）−２Ｅ，４Ｅ−ペンタジエノイルピペリジン、ピペリン、イソピペリン、シャビシン、イソシャビシン、ピペラミン、ピペレチン、ピペロレインＢ，レトロフラクタミドＡ、ピペラシド、グイネンサイド、ピペリリン、ピペラミドＣ５：１（２Ｅ）、ピペラミドＣ７：１（６Ｅ）、ピペラミドＣ７：２（２Ｅ，６Ｅ）、ピペラミドＣ９：１（８Ｅ）、ピペラミドＣ９：２（２Ｅ，８Ｅ）、ピペラミドＣ９：３（２Ｅ，４Ｅ，８Ｅ）、ファガラミド、サンショオール−Ｉ、サンショオール−ＩＩ、ヒドロキシサンショオール、サンショウアミド、ジンゲロール、ショウガオール、ジンゲロン、メチルジンゲロール、パラドール、スピラントール、カビシン、ポリゴジアール（タデオナール）、イソポリゴジアール、ジヒドロポリゴジアール、タデオンなどの化合物（ε）並びにこれらのラセミ体及び光学活性体；
トウガラシ油、トウガラシオレオレジン、ジンジャーオレオレジン、ジャンブーオレオレジン（キバナオランダセンニチ抽出物）、サンショウエキス、サンショウアミド、黒胡椒エキス、白胡椒エキス、タデエキスなどの天然物（ζ）；
日本国特開平８−２２５５６４号公報、日本国特開２００７−０１５９５３号公報、日本国特表２００７−５１０６３４号公報、日本国特表２００８−５０５８６８号公報、国際公開第２００７／０１３８１１号、国際公開第２００３／１０６４０４号、欧州特許出願公開第１３２３３５６号明細書、独国特許出願公開第１０３５１４２２号明細書、米国特許出願公開第２００５／０１８１０２２号明細書、米国特許出願公開第２００８／００３８３８６号明細書に記載の化合物（η）；
等を例示することができる。
これらは、１種または２種以上を適宜配合して用いることができる。中でも、化合物（ε）、及び天然物（ζ）からなる群より選ばれる少なくとも１の温感物質を含むことが好ましい。
【０１０８】
冷感効果を目的とする場合、温感物質と冷感物質との配合比は、温感物質の配合により温感効果が付与されない範囲であればよく、通常、冷感剤組成物の総質量に対して、温感物質は０．００１〜０．９５倍量、好ましく０．０１〜０．５倍量の配合量とされる。本発明のメチルメントール誘導体を含む冷感剤組成物を含む感覚刺激剤組成物において、冷感剤組成物に上記割合で温感物質が添加されることにより、冷感効果の更なる向上が見られ、冷感効果が増大する。
また、温感効果を目的とする場合は、冷感剤組成物の配合により冷感効果が付与されない範囲であればよく、通常、温感物質の総質量に対して、冷感剤組成物は０．００１〜０．９５倍量、好ましくは０．０１〜０．５倍量の配合量とされる。
【０１０９】
本発明の冷感剤組成物または感覚刺激剤組成物と共に含有し得る香料成分としては、各種の合成香料、天然精油、合成精油、柑橘油、動物性香料などを挙げることができ、例えば非特許文献１に記載されているような広範な種類の香料成分を使用することができる。
そのうちでも代表的なものとしては、例えば、α−ピネン、リモネン、ｃｉｓ−３−ヘキセノール、フェニルエチルアルコール、スチラリルアセテート、オイゲノール、ローズオキサイド、リナロール、ベンズアルデヒド、ムスコン、ムスクＴ（高砂香料工業株式会社）、テサロン（高砂香料工業株式会社）などを挙げることができる。
【０１１０】
本発明の冷感剤組成物または感覚刺激剤組成物と上記香料成分を含有する香料組成物における冷感剤組成物または感覚刺激剤組成の含有量は、一緒に調合する香料やその他の成分の種類、当該香料組成物の使用目的などにより調整することができる。例えば、香粧品用の香料組成物では、一般に、香料組成物の全質量に対して、冷感剤組成物または感覚刺激剤組成物の含有量が０．００００１〜５０質量％、好ましくは０．００１〜５０質量％、特に好ましくは０．０１〜２０質量％である。
【０１１１】
また、飲料用や食品用の香料組成物では、一般に、香料組成物の全質量に対して、冷感剤組成物または感覚刺激剤組成物の含有量が０．０００１〜５０質量％であることが好ましく、０．００１〜３０質量％であることがより好ましい。
【０１１２】
冷感剤組成物を含有する冷感剤組成物含有香料組成物、または感覚刺激剤組成物を含有する感覚刺激剤組成物含有香料組成物は、必要に応じて、香料組成物において通常使用されている他の香料保留剤の１種または２種以上を含有していてもよい。その場合の他の香料保留剤としては、例えば、エチレングリコール、プロピレングリコール、ジプロピレングリコール、グリセリン、ヘキシルグリコール、ベンジルベンゾエート、トリエチルシトレート、ジエチルフタレート、ハーコリン、中鎖脂肪酸トリグリセライド、中鎖脂肪酸ジグリセライドなどを挙げることができ、これらの１種または２種以上を含有することができる。
【０１１３】
本発明の冷感剤組成物または感覚刺激剤組成物は、上述のように、冷感剤組成物若しくは感覚刺激剤組成物単独で、または冷感剤組成物若しくは感覚刺激剤組成物を含有する冷感剤組成物含有香料組成物若しくは感覚刺激剤組成物含有香料組成物にして、各種製品に対して冷感または感覚刺激の付与に用いることができる。
本発明の冷感剤組成物または感覚刺激剤組成物自体或いは冷感剤組成物含有香料組成物または感覚刺激剤組成物含有香料組成物によって冷感または感覚刺激を付与された製品は、とくに限定されないが、例えば、飲料；食品；洗浄剤、台所用洗剤、漂白剤などのトイレタリー製品；消臭剤・芳香剤などのエアケア製品；口腔用組成物；フレグランス製品、基礎化粧品、仕上げ化粧品、頭髪化粧品、日焼け化粧品、薬用化粧品などの香粧品；ヘアケア製品；石鹸などのスキンケア製品；身体洗浄剤などのボディケア製品；浴用剤；衣料用洗浄剤；衣料用柔軟仕上げ剤；エアゾール剤；日用・雑貨品；医薬部外品又は医薬品などが挙げられる。
【０１１４】
前記飲料としては、果汁飲料類、果実酒類、乳飲料類、炭酸飲料、清涼飲料、ドリンク剤類の如き飲料類；緑茶、ウーロン茶、紅茶、柿の葉茶、カミツレ茶、クマザサ茶、桑茶、ドクダミ茶、プアール茶、マテ茶、ルイボス茶、ギムネマ茶、グアバ茶、コーヒー、ココアの如き茶飲料または嗜好飲料類；和風スープ、洋風スープ、中華スープの如きスープ類；各種インスタント飲料など；
前記食品としては、アイスクリーム類、シャーベット類、アイスキャンディー類の如き冷菓類；ゼリー、プリンなどのデザート類；ケーキ、クッキー、チョコレート、チューインガムなどの洋菓子類；饅頭、羊羹、ウイロウなどの和菓子類；ジャム類；キャンディー類；パン類；風味調味料；各種インスタント食品；各種スナック食品類など；
前記口腔用組成物としては、歯磨き、口腔洗浄料、マウスウオッシュ、トローチ、チューインガム類など；
前記フレグランス製品としては、香水、オードパルファム、オードトワレ、オーデコロンなど；
前記基礎化粧品としては、洗顔クリーム、バニシングクリーム、クレンジングクリーム、コールドクリーム、マッサージクリーム、乳液、化粧水、美容液、パック、メイク落としなど；
前記仕上げ化粧品としては、ファンデーシヨン、粉おしろい、固形おしろい、タルカムパウダー、口紅、リップクリーム、頬紅、アイライナー、マスカラ、アイシャドゥ、眉墨、アイパック、ネイルエナメル、エナメルリムバーなど；
前記頭髪化粧品としては、ポマード、ブリランチン、セットローション、ヘアーステック、ヘアーソリッド、ヘアーオイル、ヘアートリートメント、ヘアークリーム、ヘアートニック、ヘアーリキッド、ヘアースプレー、バンドリン、養毛剤、染毛剤など；
前記日焼け化粧品としては、サンタン製品、サンスクリーン製品など；
前記薬用化粧品としては、制汗剤、アフターシェービングローション及びジェル、パーマネン卜ウェーブ剤、薬用石鹸、薬用シャンプー、薬用皮膚化粧料など；
前記ヘアケア製品としては、シャンプー、リンス、リンスインシャンプー、コンディショナー、トリートメン卜、ヘアーパックなど；
前記石鹸としては、化粧石鹸、浴用石鹸、香水石鹸、透明石鹸、合成石鹸など；
前記身体洗浄剤としては、ボディソープ、ボディシャンプー、ハンドソープ、フェースクリームなど；
前記浴用剤としては、入浴剤（バスソルト、バスタブレット、バスリキッド、等）、フォームバス（バブルバス、等）、バスオイル（バスパヒューム、バスカプセル、等）、ミルクバス、バスジェリー、バスキユーブなど；
前記洗剤としては、衣料用重質洗剤、衣料用軽質洗剤、液体洗剤、洗濯石鹸、コンパクト洗剤、粉石鹸など；
前記柔軟仕上げ剤としては、ソフナー、ファーニチァケアーなど；
前記洗浄剤としては、クレンザー、ハウスクリーナー、トイレ洗浄剤、浴室用洗浄剤、ガラスクリーナー、カビ取り剤、排水管用洗浄剤など；
前記台所用洗剤としては、台所用石鹸、台所用合成石鹸、食器用洗剤など；
前記漂白剤としては、酸化型漂白剤（塩素系漂白剤、酸素系漂白剤、等）、還元型漂白剤（硫黄系漂白剤、等）、光学的漂白剤など；
前記エアゾール剤としては、スプレータイプ、パウダースプレーなど；
前記消臭・芳香剤としては、固形状タイプ、ゲル状タイプ、リキッドタイプ（水性、油性）など；
前記日用・雑貨品としては、ティッシュペーパー、トイレットペーパーなど；
医薬部外品としては、液体入浴剤、洗口液、忌避剤等など、忌避剤としてはミストスプレータイプ、水性液体タイプなど；
医薬品としては、薬用化粧品、薬用ローションなど；
の種々の形態を挙げることができる。
【０１１５】
本発明のメチルメントール誘導体の剤形は、混合物自体の形状をとることができる。その他の剤形としては、例えば、
アルコール類、プロピレングリコール、グリセリン、ジプロピレングリコールなどの多価アルコール類、トリエチルシトレート、ベンジルベンゾエート、ジエチルフタレートなどのエステル類に溶解した液体状；
アラビアガム、トラガントガムなどの天然ガム質類；
グリセリン脂肪酸エステル、ショ糖脂肪酸エステルなどの乳化剤で乳化した乳化状；
アラビアガム等の天然ガム質類、ゼラチン、デキストリンなどの賦形剤を用いて被膜させた粉末状；
界面活性剤、例えば非イオン界面活性剤、アニオン界面活性剤、カチオン界面活性剤、両性界面活性剤などを用いて可溶化あるいは分散化した可溶化状或いは分散化状；  
カプセル化剤で処理して得られるマイクロカプセルなど；
その目的に応じて任意の形状を選択して用いられている。
【０１１６】
本発明の冷感剤組成物若しくは感覚刺激剤組成物またはそれを含有する冷感剤組成物含有香料組成物または感覚刺激剤組成物含有香料組成物を上記したような各種の製品の冷感または感覚刺激の付与する方法としては、例えば、
冷感または感覚刺激が付与される製品の種類や製品の最終形態（例えば液体状、固体状、粉末状、ゲル状、ミスト状、エアゾール状などの製品形態）に応じて、冷感剤組成物または感覚刺激剤組成物或いはそれらを含有する冷感剤組成物含有香料組成物または感覚刺激剤組成物含有香料組成物を、その直接製品に添加または付与してもよいし；
冷感剤組成物または感覚刺激剤組成物或いはそれらを含有する冷感剤組成物含有香料組成物または感覚刺激剤組成物含有香料組成物を、例えば、アルコール類、プロピレングリコール、グリセリンなどの多価アルコール類に溶解して液体状にして添加または付与してもよいし；
アラビアガム、トラガントガムなどの天然ガム質類、界面活性剤（例えばグリセリン脂肪酸エステル、ショ糖脂肪酸エステルなどの非イオン界面活性剤、アニオン界面活性剤、カチオン界面活性剤、両性界面活性剤など）を用いて可溶化或いは乳化分散させた可溶化状或いは分散状にして添加または付与してもよいし；
アラビアガム等の天然ガム質類、ゼラチン、デキストリンなどの賦形剤を用いて被膜形成した粉末状で添加または付与してもよいし；
カプセル化剤で処理してマイクロカプセルにして添加または付与してもよい。
さらに、サイクロデキストリンなどの包接剤に包接して、冷感剤組成物または感覚刺激剤組成物或いはそれらを含有する冷感剤組成物含有香料組成物または感覚刺激剤組成物含有香料組成物を安定化すると共に徐放性にして用いてもよい。
【０１１７】
冷感または感覚刺激付けを行う際の製品への冷感剤組成物または感覚刺激剤組成物の添加量又は付与量は、製品の種類や形態、製品に求められる冷感または感覚刺激付け効果や作用などに応じて調整することができる。一般的には製品の質量に対して、冷感剤組成物または感覚刺激剤組成物の添加量又は付与量が、約１×１０−７〜０．１質量％程度であることが好ましく、１×１０−６〜０．０１質量％であることがより好ましい。
【実施例】
【０１１８】
以下、合成例、実施例中での生成物の測定は、次の機器装置類を用いて行われた。
核磁気共鳴スペクトル：１Ｈ−ＮＭＲ：ＡＭ−５００（５００ＭＨｚ）（ブルッカー社製）
外部標準物質：テトラメチルシラン
ガスクロマトグラフ（ＧＣ）：ＧＣ−２０１０ＡＦ（島津製作所製）
カラム；ＤＢ−ＷＡＸ（３０ｍ×０．３２ｎｍ×０．５μｍ）（ヒューレット・パッカード製）、ＩＣ−１（３０ｍ×０．２５ｍｍ×０．２５μｍ）、（ヒューレット・パッカード製）、Ｒｔｘ−１（３０ｍ×０．２５ｍｍ×０．２５μｍ）（Ｒｅｓｔｅｋ製）
キラルカラム（光学純度測定）；Ｂｅｔａ  ＤＥＸＴＭ  ２２５（３０ｍ×０．２５ｍｍ×０．２５μｍ）、Ｂｅｔａ  ＤＥＸＴＭ  ３２５（３０ｍ×０．２５ｍｍ×０．２５μｍ）（スペルコ製）
高分解能質量スペクトル（ＨＲＭＳ）：ＪＭＳ−Ｔ１００ＧＣＶ（日本電子製）、ＬＣＭＳ−ＩＴ−ＴＯＦ（島津製作所製）
旋光度：ＪＡＳＣＯ  Ｐ−１０２０（日本分光製）
融点：融点測定装置（シリアルナンバー：２６７８）（柳本製作所製）【０１１９】
［合成例１］３−メチルシトロネラール（３，３，７−トリメチル−６−オクテナール）（例示化合物３）の合成【０１２０】
【化３８】
2016153011.tif 000040
【０１２１】
本反応は窒素雰囲気下にて行った。滴下漏斗を有した２Ｌの四つ口フラスコを用意し、フラスコにヨウ化銅（１００ｇ、１．０５ｅｑ．）及びジエチルエーテル（２００ｍＬ）を添加し、系内を０〜５℃まで攪拌しつつ冷却した。滴下漏斗にメチルリチウム・エーテル溶液（１．０８ｍｏｌ／Ｌ、９９２ｍＬ、２．０５ｅｑ．ｖｓ．ＣｕＩ）を添加し、ゆっくりと２時間を要し滴下した。滴下終了後温度を保ちつつ３０分攪拌し、系内を−６０℃以下まで冷却した。滴下漏斗にシトラール（７６．１ｇ、５００ｍｍｏｌ）及びジエチルエーテル（５０ｍＬ）を添加し、ゆっくりと２０分を要し滴下した。終了後に１時間温度を保ちつつ攪拌し、徐々に系内温度を０〜５℃まで昇温した。１時間後にＧＣにて反応の終了を確認し、後処理として、飽和塩化アンモニウム水溶液を冷却したままゆっくりと滴下した。混合溶液をセライト濾過し、油層を飽和塩化アンモニウム水溶液で３回・飽和食塩水で１回洗浄、無水硫酸マグネシウムにて乾燥して減圧濃縮した（７８．４ｇ）。本反応を合計３回行い、得られたオイルをクライゼン蒸留装置により単蒸留し（０．１ｍｍＨｇ、塔頂６０〜６５℃、バス温８５〜９５℃）、目的物（１８０ｇ、収率７２％）を得た。【０１２２】
１Ｈ−ＮＭＲ（５００ＭＨｚ，ＣＤＣｌ３）：δ（ｓ，３Ｈ），１．３３−１．３９（ｍ，２Ｈ），１．６０（ｓ，３Ｈ），１．６８（ｄ，３Ｈ，Ｊ＝０．８５Ｈｚ），１．９４−２．０１（ｍ，２Ｈ），２．２７（ｄ，２Ｈ，Ｊ＝３．２Ｈｚ），５．０６−５．１１（ｍ，１Ｈ），９．８５（ｔ，Ｊ＝３．１Ｈｚ）．【０１２３】
［合成例２］５−メチルイソプレゴール（５，５−ジメチル−２−（プロプ−１−エン−２−イル）シクロヘキサノール）（例示化合物  ｒａｃ−４）の合成【０１２４】
【化３９】
2016153011.tif 000041
【０１２５】
コンデンサを有した２００ｍＬの四つ口フラスコに活性シリカアルミナ（７７１ｍｇ、２質量％）、３−メチルシトロネラール（３）（２５．８ｇ、１５３ｍｍｏｌ）、トルエン（７７ｍＬ）を添加した。８０℃にて攪拌して反応させ、２時間後に反応を終了させた（ｃｏｎｖ．＞９９％）。触媒を濾過後、クライゼン蒸留装置により単蒸留し（＜０．１Ｐａ、塔頂５５〜５６℃、バス温８８℃）、目的物である無色オイル（２４．６ｇ、収率６６％）を得た。シス／トランス比は１３／８７であった。【０１２６】
ＨＲＭＳ：質量１６８．１５１４    実測値１６８．１５３５
１Ｈ−ＮＭＲ（５００ＭＨｚ，ＣＤＣｌ３）：δ０．９０−０．９５（ｍ，３Ｈ），０．９６（ｓ，３Ｈ），１．０９−１．１６（ｍ，１Ｈ），１．１８−１．２７（ｍ，１Ｈ），１．２６−１．４１（ｍ，２Ｈ），１．４４−１．５８（ｍ，２Ｈ），１．７４（ｂｒ，３Ｈ），１．７５−１．８８（ｍ，２Ｈ），３．６２−３．６６（ｍ，１Ｈ），４．８５−４．８６（ｍ，１Ｈ），４．８３−４．９８（ｍ，１Ｈ）（ｔｒａｎｓ／ｃｉｓ  ｍｉｘ）【０１２７】
［合成例３］ｔｒａｎｓ−５−メチルメントール（ｔｒａｎｓ−２−イソプロピル−５，５−ジメチルシクロヘキサノール）（ｒａｃ−ｔｒａｎｓ−５）の合成【０１２８】
【化４０】
2016153011.tif 000042
【０１２９】
合成例２で得られた５−メチルイソプレゴール（ｒａｃ−４）（１０．０ｇ、５９．４ｍｍｏｌ）及びパラジウム炭素担持（Ｎ．Ｅ．Ｃｈｅｍｃａｔ．Ｗｅｔ、ＳＴＤ  ５％、１００ｍｇ、１質量％）及びメタノール（２０ｍＬ）を添加した。水素圧下１ＭＰａ〜２ＭＰａ、５０℃にて１５時間反応させた。ＧＣにて反応の完結を確認し、後処理を行った。触媒をセライト濾過後に濃縮し、ｔｒａｎｓ−５−メチルメントール（９．８０ｇ、収率９７％）を白色固体として得た。【０１３０】
融点  ６０〜６４℃
ＨＲＭＳ：質量１７０．１６７１    実測値１７０．１６８０
１Ｈ−ＮＭＲ（５００ＭＨｚ，ＣＤＣｌ３）：δ０．８４（ｄ，３Ｈ，Ｊ＝７．０Ｈｚ），０．８９（ｓ，３Ｈ，＞Ｃ−ＣＨ３），０．９３−０．９５（ｍ，６Ｈ），１．０４−１．２１（ｍ，５Ｈ），１．３７（ｄｔ，１Ｈ，Ｊ＝９．６，２．６Ｈｚ），１．４６−１．５０（ｍ，１Ｈ），１．６８−１．７３（ｍ，１Ｈ），２．１２−２．２１（ｍ，１Ｈ，），３．５３−３．６２（ｍ，１Ｈ）．【０１３１】
［合成例４］（＋）−５−メチルメントン（（＋）−２−イソプロピル−５，５−ジメチルシクロヘキサノン）（例示化合物  （＋）−７）の合成【０１３２】
【化４１】
2016153011.tif 000043
【０１３３】
窒素雰囲気下にて滴下漏斗を２つ有した１Ｌの四つ口フラスコを用意し、フラスコ内にメチルマグネシウムブロミド・テトラヒドロフラン（ＴＨＦ）溶液（０．９２ｍｏｌ／Ｌ、５００ｍＬ、４６０ｍｍｏｌ、１．２５ｅｑ．）を添加し、系内を−１０℃まで撹拌しつつ冷却した。滴下漏斗にヨウ化銅（１３．４ｇ、２０ｍｏｌ％）のＴＨＦ懸濁液（２５ｍＬ）を用意し、系内にゆっくりと添加した。添加終了後３０分熟成し、滴下漏斗に（−）−ピペリトン（５３．９ｇ、３５４ｍｍｏｌ）のＴＨＦ溶液（５０ｍＬ）を添加し、系内温度を−５℃以下に保ちつつ、１時間半を要しゆっくりと滴下した。滴下終了後１時間で（−）−ピペリトンの完全消費を確認し、後処理を行った。系内温度を−１０℃のまま系内にゆっくりと飽和塩化アンモニウム水溶液（２００ｍＬ）を撹拌しつつ加えた。添加終了後に３０分撹拌し、徐々に室温まで昇温した。反応溶液を分液漏斗に移送してトルエンを添加し、飽和塩化アンモニウム水溶液で３回洗浄した。油層を濾過濃縮後にクライゼン蒸留を行い（バス温１００℃、塔頂５６℃、０．１Ｐａ）、目的の（＋）−５−メチルメントンを黄色がかったオイルとして得た（５４．２ｇ、収率８８％、８５％ｅｅ．）。【０１３４】
［α］Ｄ２０＝＋２５．４（ｃ＝０．２，ＥｔＯＨ）
ＨＲＭＳ：質量１６８．１５１４    実測値１６８．１５１２
１Ｈ−ＮＭＲ（５００ＭＨｚ，ＣＤＣｌ３）：δ０．８８（ｄ，３Ｈ，Ｊ＝１．５Ｈｚ），０．９０（ｂｒ，９Ｈ），１．０１（ｓ，３Ｈ），１．５２−１．６７（ｍ，４Ｈ），１．８９−２．０２（ｍ，２Ｈ），２．０７−２．１６（ｍ，２Ｈ）．【０１３５】
［合成例５］５−メチルメントン（２−イソプロピル−５，５−ジメチルシクロヘキサノン）（例示化合物  ｒａｃ−７）の合成【０１３６】
【化４２】
2016153011.tif 000044
【０１３７】
合成例４で得られた（＋）−５−メチルメントン（（＋）−７）（１０．０ｇ）を９０℃にて３時間加熱撹拌することで、定量的に目的の５−メチルメントンを無色オイルとして得た。【０１３８】
ＨＲＭＳ：質量１６８．１５１４    実測値１６８．１５２１
１Ｈ−ＮＭＲ（５００ＭＨｚ，ＣＤＣｌ３）：δ０．８８（ｄ，３Ｈ，Ｊ＝１．６Ｈｚ），０．９０（ｂｒ，９Ｈ），１．０１（ｓ，３Ｈ），１．５２−１．６７（ｍ，４Ｈ），１．８９−２．０２（ｍ，２Ｈ），２．０７−２．１５（ｍ，２Ｈ）．【０１３９】
［実施例１］５−メチルメンチルアミド（２−イソプロピル−５，５−ジメチルシクロヘキサンカルボキシアミド）（例示化合物  １４ａ−５０）の合成【０１４０】
【化４３】
2016153011.tif 000045
【０１４１】
本反応は窒素雰囲気下にて行った。フラスコ内にカリウムｔ−ブトキシド（３９６ｍｇ、１．２ｅｑ．）及びＴＨＦ（５ｍｌ）、滴下漏斗内にｐ−トルエンスルホニルメチルイソシアニド（５９０ｍｇ、１．１ｅｑ．）及びＴＨＦ（１０ｍｌ）を添加し、０〜５℃にて冷却撹拌しつつ漏斗内の溶液を滴下した。２時間後、系内の温度を−１０℃まで冷却し、合成例５で得られた５−メチルメントン（ｒａｃ−７）（５００ｍｇ、２．９４ｍｍｏｌ）のＴＨＦ溶液（５ｍｌ）を撹拌しつつ滴下した。滴下終了後、徐々に昇温し、内温４５℃にて８時間反応させた。後処理として、室温まで冷却後に減圧濃縮し、ＴＨＦを留去した。得られた残渣にトルエンと水道水を添加し、油層を水道水で２回、飽和食塩水で１回洗浄した。無水硫酸マグネシウムにて乾燥し、濾過・減圧濃縮した後、コンデンサを有した四つ口フラスコに、得られたオイルと、水酸化カリウム（５００ｍｇ、３．２ｅｑ．）水道水及びｔ−ブタノール（６ｍｌ）を添加し、９時間還流撹拌を行った。後処理としてトルエン・水道水で抽出して油層を常法により洗浄・乾燥させ、濃縮して得られた残渣をカラムクロマトグラフィー（酢酸エチル）にて単離精製し、更にヘプタン／酢酸エチルで再結晶を行い、目的の５−メチルメンチルアミドを白色固体として得た（１２１ｍｇ、収率２５％）。【０１４２】
融点  １４１〜１４５℃
ＨＲＭＳ：質量１９８．１８５２    実測値１９８．１８４１（［Ｍ＋Ｈ］＋）
１Ｈ−ＮＭＲ（５００ＭＨｚ，ＣＤＣｌ３）：δ０．８３（ｄ，１Ｈ，Ｊ＝６．９Ｈｚ），０．８７−０．９４（ｍ，９Ｈ），１．１２−１．２８（ｍ，２Ｈ），１．４０−１．５５（ｍ，５Ｈ），１．８０（ｑｕｉｄ，１Ｈ，Ｊ＝１３．９，２．５Ｈｚ），２．２３（ｔｄ，１Ｈ，Ｊ＝１１．９，３．７Ｈｚ），５．５３−５．５６（ｂｒ，２Ｈ）．【０１４３】
［合成例６］５−メチルメンチルクロリド（３−クロロ−４−イソプロピル−１，１−ジメチルシクロヘキサン）の合成【０１４４】
【化４４】
2016153011.tif 000046
【０１４５】
２００ｍＬフラスコに、合成例３で得られたｔｒａｎｓ−５−メチルメントール（ｒａｃ−ｔｒａｎｓ−５）（１１．０ｇ、６４．６ｍｍｏｌ）、トルエン（５．５ｍＬ）、塩化亜鉛（２８．２ｇ、３．２ｅｑ．）及び濃塩酸（１６．２ｍＬ）を添加し、室温にて６時間反応を行った。ＧＣ−ＭＳにて反応の完結を確認し、後処理を行った。分液漏斗にて水層を除去し、油層を水道水にて５回洗浄した。無水硫酸マグネシウムにて乾燥し、濾過濃縮して残渣をシリカゲルカラムクロマトグラフィー（ヘプタン）にて単離精製し、５−メチルメンチルクロリド（１０．４ｇ、収率７０％）の異性体混合物を薄黄色オイルとして得た。【０１４６】
ＨＲＭＳ：質量２３３．１３１２    実測値２３３．１３１４（［Ｍ＋Ｃｌ］−）
１Ｈ−ＮＭＲ（５００ＭＨｚ，ＣＤＣｌ３）：δ０．８１（ｄ，３Ｈ，Ｊ＝７．０  Ｈｚ），０．９０（ｓ，３Ｈ），０．９２（ｄ，３Ｈ，Ｊ＝７．０Ｈｚ），０．９４（ｓ，３Ｈ），０．９７−１．１２（ｍ，１Ｈ），１．１９−１．３８（ｍ，２Ｈ），１．４１（ｄｔ，１Ｈ，Ｊ＝９．５，１．５Ｈｚ），１．５２−１．６０（ｍ，２Ｈ），１．９４−２．００（ｍ，１Ｈ），２．３４（ｑｕｉｄ，１Ｈ，Ｊ＝７．０，１．５Ｈｚ），３．９５（ｔｄ，１Ｈ，Ｊ＝１２．０，１．６Ｈｚ）．【０１４７】
［実施例２］５−メチルメンチルカルボン酸メチルエステル（メチル  ２−イソプロピル−５，５−ジメチルシクロヘキサンカルボキシレート）（例示化合物  １５ａ−６）の合成【０１４８】
【化４５】
2016153011.tif 000047
【０１４９】
窒素雰囲気下にてコンデンサと滴下漏斗を有した２００ｍＬの四つ口フラスコに、マグネシウム（１．５１ｇ、１．３０ｅｑ．）を添加し、滴下漏斗に合成例６で得られた５−メチルメンチルクロリド（９．００ｇ、４７．７ｍｍｏｌ）及びＴＨＦ（４０ｍＬ）を添加した。フラスコ内温を４５℃に加熱し、攪拌しつつ漏斗内の溶液を、１時間を要して滴下した。漏斗内に炭酸ジメチル（８．０３ｍＬ、２．００ｅｑ．）及びＴＨＦ（５ｍＬ）を添加し、凡そ４０分で滴下した。終了後に系内温度を５５℃まで昇温し、合計８時間加熱攪拌を行った。後処理として、系内を冷却し塩化アンモニウム水溶液で反応を終了させ、常法により得られた粗生成物を、シリカゲルカラムクロマトグラフィー（ヘプタン／酢酸エチル＝６／１）にて単離精製し無色オイルとして目的物を得た（９．１３ｇ、４３．０ｍｍｏｌ、収率９０％）。【０１５０】
ＨＲＭＳ：質量２１３．１８３７    実測値２１３．１８４９  （［Ｍ＋Ｈ］＋）
１Ｈ−ＮＭＲ（５００ＭＨｚ，ＣＤＣｌ３）：δ０．８１（ｄ，３Ｈ，Ｊ＝７．０Ｈｚ），０．８８（ｓ，３Ｈ），０．９０（ｄ，３Ｈ，Ｊ＝６．９Ｈｚ），０．９２（ｓ，３Ｈ），１．１４−１．３５（ｍ，４Ｈ），１．３６−１．６８（ｍ，４Ｈ），２．４２−２．５０（ｍ，１Ｈ）．３．６５（ｓ，３Ｈ）．【０１５１】
［合成例７］５−メチルメンチルカルボン酸（２−イソプロピル−５，５−ジメチルシクロヘキサンカルボン酸）（例示化合物  ｒａｃ−１１ａ）の合成【０１５２】
【化４６】
2016153011.tif 000048
【０１５３】
コンデンサを有した２００ｍＬフラスコに実施例２で得られた５−メチルメンチルカルボン酸メチルエステル（１５ａ−６）（８．１６ｇ、３８．４ｍｍｏｌ）、エタノール（１０ｍＬ）及び２５質量％水酸化ナトリウム水溶液（２３ｍＬ）を添加し、９５℃にて６時間加熱攪拌を行った。溶液を室温まで冷却後、減圧濃縮し、トルエン及び水道水を添加して分液漏斗に移送した。油層をカットし、水層を希塩酸にて液性を酸性とし、クロロホルムで抽出した。油層を無水硫酸マグネシウムにて乾燥、シリカゲルカラムクロマトグラフィーで精製し、目的の白色固体を得た（５．０７ｇ、収率６５．６％）。【０１５４】
融点  ９１〜９４℃
ＨＲＭＳ：質量１９８．１６２０    実測値１９８．１６１９  
１Ｈ−ＮＭＲ（５００ＭＨｚ，ＣＤＣｌ３）：δ０．８４（ｄ，３Ｈ，Ｊ＝７．０Ｈｚ），０．８９（ｓ，３Ｈ），０．９１（ｄ，３Ｈ，Ｊ＝１４．０Ｈｚ），０．９３（ｓ，３Ｈ），１．１５−１．２６（ｍ，２Ｈ），１．３８−１．５１（ｍ，４Ｈ），１．６１（ｄｔ，２Ｈ，Ｊ＝１３．０，３．０Ｈｚ），１．７０−１．７８（ｍ，１Ｈ），２．４２−２．５０（ｎ，１Ｈ），８．０−１３．０（ｂｒ，１Ｈ）．【０１５５】
［合成例８］５−メチルメンチルカルボン酸（２−イソプロピル−５，５−ジメチルシクロヘキサンカルボン酸）（例示化合物  ｒａｃ−１１ａ）の合成【０１５６】
【化４７】
2016153011.tif 000049
【０１５７】
実施例１で得られた５−メチルメンチルアミド（１５ａ−６０）を２５質量％水酸化ナトリウム水溶液とエチレングリコールを用いて還流撹拌し同様に加水分解することで、同様の化合物を得た（収率３２％）。【０１５８】
［合成例９］５−メチルメンチルカルボン酸（２−イソプロピル−５，５−ジメチルシクロヘキサンカルボン酸）（例示化合物  ｒａｃ−１１ａ）の合成【０１５９】
【化４８】
2016153011.tif 000050
【０１６０】
窒素雰囲気下にてコンデンサと滴下漏斗を有した２００ｍＬ四つ口フラスコに、マグネシウム（２．６８ｍｇ、１．３０ｅｑ．）を添加し、滴下漏斗に合成例６で得られた５−メチルメンチルクロリド（１６．０ｇ、８４．８ｍｍｏｌ）及びＴＨＦ（８０ｍＬ）を添加した。フラスコ内温を４５℃に加熱し攪拌しつつ漏斗内の溶液を、２時間を要して滴下した。その後、系内に炭酸ガスを吹き込みつつ合計９時間加熱攪拌を行った。後処理として、溶媒を回収後に系内を冷却しトルエン及び水道水を添加した。水層に希塩酸を添加してクロロホルムにて抽出し、油層を無水硫酸マグネシウムにて乾燥後に減圧濃縮することで目的の白色結晶を得た（５．７６ｇ、収率３４％）。【０１６１】
［合成例１０］光学活性（−）−ｔｒａｎｓ−５−メチルイソプレゴール（（１Ｒ，２Ｓ）−ｔｒａｎｓ−５，５−ジメチル−２−（プロプ−１−エン−２−イル）シクロヘキサノール）（例示化合物  （１Ｒ，２Ｓ）−ｔｒａｎｓ−４）の合成【０１６２】
【化４９】
2016153011.tif 000051
【０１６３】
本反応は窒素雰囲気下にて行った。コンデンサを有した２００ｍＬフラスコに（Ｒ）−１，１’−ビ−２−ナフトール（（Ｒ）−ＢＩＮＯＬ）（１．２２ｍｇ、１．６ｅｑ．ｖｓ．Ａｌ）、トルエン（２７ｍＬ）を加え、撹拌しつつトリエチルアルミニウム・トルエン溶液（２．７ｍＬ、５ｍｏｌ％）をゆっくりと添加した。一時間室温にて撹拌後、系内を０〜５℃に冷却し合成例１で得られた３−メチルシトロネラール（９．００ｇ、５３．５ｍｍｏｌ）をゆっくりと滴下した。３時間後にＧＣにて反応の完結を確認し後処理として、トルエン／塩酸にてクエンチ後、油層を水道水・飽和食塩水で各一回洗浄した。無水硫酸マグネシウムにて乾燥してシリカゲルカラムクロマトグラフィーを通過させ、減圧濃縮して目的の光学活性（−）−ｔｒａｎｓ−５−メチルイソプレゴールを無色オイルとして得た（７．４２ｇ、収率８３％、８０％ｅｅ．）。【０１６４】
［α］Ｄ２５＝−６．６（ｃ＝０．６，ＣＨＣｌ３）
ＨＲＭＳ：質量１６８．１５１９    実測値１６８．１５１４
１Ｈ−ＮＭＲ（５００ＭＨｚ，ＣＤＣｌ３）：δ０．９４（ｓ，３Ｈ，ＣＨ３），０．９６（ｓ，３Ｈ，ＣＨ３），１．１４（ｔ，１Ｈ，Ｊ＝１１．７Ｈｚ），１．２２（ｔｄ，１Ｈ，Ｊ＝１３．０，４．６Ｈｚ），１．２６−１．４１（ｍ，２Ｈ），１．４５−１．５７（ｍ，２Ｈ），１．７４（ｄｄ，３Ｈ，Ｊ＝１．５，０．９Ｈｚ），１．７５−１．８７（ｍ，２Ｈ），３．６１−３．６６（ｍ，１Ｈ），４．８５−４．８６（ｍ，１Ｈ），４．８９−４．９１（ｍ，１Ｈ）．【０１６５】
［合成例１１］光学活性ｔｒａｎｓ−５−メチルイソプレゴール（（１Ｓ，２Ｒ）−ｔｒａｎｓ−５，５−ジメチル−２−（プロプ−１−エン−２−イル）シクロヘキサノール）（（１Ｓ，２Ｒ）−ｔｒａｎｓ−４）の合成【０１６６】
【化５０】
2016153011.tif 000052
【０１６７】
合成例５の手法を用いて、配位子として（Ｓ）−ＢＩＮＯＬを用い、３−メチルシトロネラール（５．００ｇ、２９．７ｍｍｏｌ）より（＋）−ｔｒａｎｓ−５−メチルイソプレゴールを無色オイルとして得た（３．９０ｇ、収率７８％、７８％ｅｅ．）【０１６８】
［α］Ｄ２５＝＋５．８（ｃ＝０．３，ＣＨＣｌ３）．
１Ｈ−ＮＭＲ（５００ＭＨｚ，ＣＤＣｌ３）：δ０．９３（ｓ，３Ｈ，ＣＨ３），０．９６（ｓ，３Ｈ，ＣＨ３），１．１４（ｔ，１Ｈ，Ｊ＝１１．７Ｈｚ），１．２２（ｔｄ，１Ｈ，Ｊ＝１３．２，４．７Ｈｚ），１．２５−１．４２（ｍ，２Ｈ），１．４５−１．５９（ｍ，２Ｈ），１．７４（ｂｒ，３Ｈ），１．７６−１．８８（ｍ，２Ｈ），３．６４（ｔｄ，１Ｈ，Ｊ＝１０．７，４．４Ｈｚ），４．８５−４．８７（ｍ，１Ｈ），４．８９−４．９２（ｍ，１Ｈ）．【０１６９】
［合成例１２］光学活性（−）−ｔｒａｎｓ−５−メチルメントール（（１Ｒ，２Ｓ）−ｔｒａｎｓ−２−イソプロピル−５，５−ジメチルシクロヘキサノール）（例示化合物  （１Ｒ，２Ｓ）−ｔｒａｎｓ−５）の合成【０１７０】
【化５１】
2016153011.tif 000053
【０１７１】
１００ｍＬオートクレーヴに、合成例１０で得られた（−）−ｔｒａｎｓ−５−メチルイソプレゴール（（１Ｒ，２Ｓ）−ｔｒａｎｓ−４）（９．００ｇ、５４．０ｍｍｏｌ）及びパラジウム炭素担持（Ｎ．Ｅ．Ｃｈｅｍｃａｔ．Ｗｅｔ、ＳＴＤ  ５％、９０ｍｇ、１質量％）及びメタノール（９ｍＬ）を添加した。水素圧を１ＭＰａまでチャージし、５０℃にて２６時間反応させた。ＧＣにて反応の完結を確認し、触媒をセライト濾過後に濃縮してメタノール／ヘプタンで再結晶し、（−）−ｔｒａｎｓ−５−メチルメントールを白色固体として得た（７．８０ｇ、収率８６％、８０％ｅｅ．）。【０１７２】
融点  ７９〜８２℃
［α］Ｄ２０＝−３６．７（ｃ＝０．１，ＣＨＣｌ３）
ＨＲＭＳ：質量１７０．１６７１    実測値１７０．１６７１
１Ｈ−ＮＭＲ（５００ＭＨｚ，ＣＤＣｌ３）：δ０．８４（ｄ，３Ｈ，Ｊ＝７．０Ｈｚ），０．８９（ｓ，３Ｈ），０．９３−０．９５（ｍ，６Ｈ），１．０４−１．２１（ｍ，５Ｈ），１．３７（ｄｔ，１Ｈ，Ｊ＝９．６，２．６Ｈｚ），１．４６−１．５０（ｍ，１Ｈ），１．６８−１．７３（ｍ，１Ｈ），２．１２−２．２１（ｍ，１Ｈ，），３．５７（ｓｅｐ，１Ｈ，Ｊ＝４．７Ｈｚ）【０１７３】
［合成例１３］光学活性（＋）−ｔｒａｎｓ−５−メチルメントール（（１Ｓ，２Ｒ）−ｔｒａｎｓ−２−イソプロピル−５，５−ジメチルシクロヘキサノール）（例示化合物  （１Ｓ，２Ｒ）−ｔｒａｎｓ−５）の合成【０１７４】
【化５２】
2016153011.tif 000054
【０１７５】
合成例１２の手法で、合成例１１で得られた（＋）−ｔｒａｎｓ−５−メチルイソプレゴール（（１Ｓ，２Ｒ）−ｔｒａｎｓ−４）（１．００ｇ、５．９４ｍｍｏｌ）より（＋）−５−メチルメントールを白色固体として得た（０．９１ｇ、収率９０％、７８％ｅｅ．）。【０１７６】
融点  ７８〜８１℃
［α］Ｄ２０＝＋３７．０（ｃ＝０．１，ＣＨＣｌ３）
１Ｈ−ＮＭＲ（５００ＭＨｚ，ＣＤＣｌ３）：δ０．８４（ｄ，３Ｈ，Ｊ＝７．０Ｈｚ），０．８９（ｓ，３Ｈ），０．９３−０．９６（ｍ，６Ｈ），１．０４−１．２０（ｍ，５Ｈ），１．３７（ｄｔ，１Ｈ，Ｊ＝９．６，２．５Ｈｚ），１．４６−１．５１（ｍ，１Ｈ），１．７０（ｄｑ，１Ｈ，Ｊ＝１２．３，２．５Ｈｚ），２．１２−２．２３（ｍ，１Ｈ），３．５８（ｓｅｐ，１Ｈ，Ｊ＝４．７Ｈｚ）．【０１７７】
［合成例１４］（＋）−（１Ｒ，２Ｓ）−５−メチルメンチルクロリド（（＋）−（１Ｒ，２Ｓ）−３−クロロ−４−イソプロピル−１，１−ジメチルシクロヘキサン）の合成【０１７８】
【化５３】
2016153011.tif 000055
【０１７９】
滴下漏斗及びコンデンサを有した１００ｍＬフラスコに、合成例１２で得られた（−）−５−メチルメントール（（１Ｒ，２Ｓ）−ｔｒａｎｓ−５）（９．０９ｇ、５３．４ｍｍｏｌ）、トルエン（４．５ｍＬ）、塩化亜鉛（２３．２８ｇ、３．２ｅｑ．）及び濃塩酸（１３．３ｍＬ、３．０ｅｑ．）を添加し、室温にて８時間反応を行った。ＧＣにて反応の完結を確認し、後処理を行った。分液漏斗にて水層を除去し、油層を水道水にて３回洗浄、さらに１質量％ＮａＯＨ水溶液、飽和食塩水で洗浄した。無水硫酸マグネシウムにて乾燥し、濾過濃縮して残渣をシリカゲルカラムクロマトグラフィー（ヘプタン）にて単離精製した。得られた光学活性−５−メチルメンチルクロリドは無色のオイルとなった（４．８９ｇ、収率５７．２％、８０％ｅｅ．）。【０１８０】
［α］Ｄ２０＝＋２７．５（ｃ＝０．３，ＥｔＯＨ）
ＨＲＭＳ：質量２３３．１３１２    実測値２３３．１３０１（［Ｍ＋Ｃｌ］−）
１Ｈ−ＮＭＲ（５００ＭＨｚ，ＣＤＣｌ３）：δ０．８０（ｄ，３Ｈ，Ｊ＝７．０Ｈｚ），０．９０（ｓ，３Ｈ），０．９２（ｄ，３Ｈ，Ｊ＝７．０Ｈｚ），０．９４（ｓ，３Ｈ），０．９７−１．１２（ｍ，１Ｈ），１．１９−１．３８（ｍ，２Ｈ），１．４１（ｄｔ，１Ｈ，Ｊ＝９．５，１．５Ｈｚ），１．５２−１．６０（ｍ，２Ｈ），１．９４−１．９９（ｍ，１Ｈ），２．２９−２．４０（ｍ，１Ｈ），３．９５（ｔｄ，１Ｈ，Ｊ＝１２．０，１．６Ｈｚ）．【０１８１】
［合成例１５］（−）−５−メチルメンチルカルボン（（−）−２−イソプロピル−５，５−ジメチルシクロヘキサンカルボン酸）（例示化合物  （１Ｒ，２Ｓ）−１１ａ）酸の合成【０１８２】
【化５４】
2016153011.tif 000056
【０１８３】
窒素雰囲気下にてコンデンサと滴下漏斗を有した２００ｍＬ四つ口フラスコに、マグネシウム（７１８ｍｇ、１．３０ｅｑ．）を添加し、滴下漏斗に合成例１４で得られた（−）−５−メチルメンチルクロリド（４．２９ｇ、２２．７ｍｍｏｌ）及びＴＨＦ（２２ｍＬ）を添加した。フラスコ内温を４５℃に加熱し攪拌しつつ漏斗内の溶液を、２時間を要して滴下した。系内に炭酸ガスを吹き込みつつ合計９時間加熱攪拌を行った。後処理として、溶媒を回収後に系内を冷却しトルエン及び水道水を添加した。水層に希塩酸を添加してクロロホルムにて抽出し、油層を無水硫酸マグネシウムにて乾燥後に減圧濃縮、カラムクロマトグラフィークロマトグラフィー（クロロホルム／酢酸エチル）で精製することで目的の白色固体を得た（１．１７ｇ、収率２６％、８０％ｅｅ．）。【０１８４】
融点  ７３〜７６℃
［α］Ｄ２０＝−３０．０（ｃ＝０．１，ＥｔＯＨ）
ＨＲＭＳ：質量１９８．１６２０    実測値１９８．１６０８
１Ｈ−ＮＭＲ（５００ＭＨｚ，ＣＤＣｌ３）：δ０．８４（ｄ，３Ｈ，Ｊ＝７．０Ｈｚ），０．８９（ｓ，３Ｈ），０．９１（ｄ，３Ｈ，Ｊ＝１３．８Ｈｚ），０．９３（ｓ，３Ｈ），１．１５−１．２６（ｍ，２Ｈ），１．３８−１．５１（ｍ，４Ｈ），１．６１（ｄｔ，２Ｈ，Ｊ＝１３．０，３．０Ｈｚ），１．７０−１．７８（ｍ，１Ｈ），２．４２−２．５０（ｎ，１Ｈ），７．５−１３．０（ｂｒ，１Ｈ）．【０１８５】
［合成例１６］（−）−ｃｉｓ−５−メチルメントール（（−）−ｃｉｓ−２−イソプロピル−５，５−ジメチルシクロヘキサノール）（例示化合物  （１Ｒ，２Ｒ）−５）の合成【０１８６】
【化５５】
2016153011.tif 000057
【０１８７】
２００ｍＬの四つ口フラスコに合成例４で得られた（＋）−５−メチルメントン（（＋）−７）（１９．７ｇ、１１７ｍｍｏｌ）及びメタノール（８０ｍＬ）を添加し、１０℃以下に撹拌しつつ冷却した。ヒドロホウ素化ナトリウム（５．３２ｇ、１．２ｅｑ．）をゆっくりと添加し、そのまま１時間熟成した。反応の完結を確認し、後処理としてゆっくりと１Ｎ塩酸を添加した。トルエン及びヘプタンで抽出を行い、油層を無水硫酸マグネシウムにて乾燥して濾過濃縮した。クライゼン蒸留（バス温１００℃、塔頂５８〜６７℃、０．１〜０．２Ｐａ）により精製し、目的の無色オイルを得た（１９．７ｇ、収率９９％）。【０１８８】
［α］Ｄ２０＝−９．６（ｃ＝０．２，ＥｔＯＨ）
ＨＲＭＳ：質量１７０．１６６４    実測値１７０．１６７１
１Ｈ−ＮＭＲ（５００ＭＨｚ，ＣＤＣｌ３）：δ０．８３−０．９０（ｍ，４Ｈ），０．９５（ｔ，６Ｈ，Ｊ＝６．２Ｈｚ），１．０６−１．０８（ｍ，４Ｈ），１．１３−１．２１（ｍ，１Ｈ），１．３３（ｄｄ，１Ｈ，Ｊ＝１４．５，３．３Ｈｚ），１．４０−１．６０（ｍ，４Ｈ），１．６４（ｔｔ，１Ｈ，Ｊ＝１４．４，２．９Ｈｚ），４．１１（ｑｕｉ，１Ｈ，Ｊ＝３．２Ｈｚ）．【０１８９】
［合成例１７］ｃｉｓ−５−メチルメントール（ｃｉｓ−２−イソプロピル−５，５−ジメチルシクロヘキサノール）（例示化合物  ｒａｃ−ｃｉｓ−５）の合成【０１９０】
【化５６】
2016153011.tif 000058
【０１９１】
合成例１６の手法を用いて、合成例５で得られた５−メチルメントン（ｒａｃ−７）（３０．０ｇ、１７．８ｍｍｏｌ）からｃｉｓ−５−メチルメントールを無色オイルとして得た（２８．５ｇ、収率９４％）。【０１９２】
ＨＲＭＳ：質量１７０．１６５６    実測値１７０．１６７１
１Ｈ−ＮＭＲ（５００ＭＨｚ，ＣＤＣｌ３）：δ０．８３−０．９０（ｍ，４Ｈ），０．９５（ｔ，６Ｈ，Ｊ＝６．２Ｈｚ），１．０６−１．０８（ｍ，４Ｈ），１．１３−１．２１（ｍ，１Ｈ），１．３３（ｄｄ，１Ｈ，Ｊ＝１４．５，３．３Ｈｚ），１．４０−１．６６（ｍ，５Ｈ），４．１１（ｂｒ，１Ｈ）．【０１９３】
［合成例１８］５−メチルメンチルカルバルデヒド（２−イソプロピル−５，５−ジメチルシクロヘキサンカルバルデヒド）（例示化合物  ｒａｃ−１３ａ）の合成【０１９４】
【化５７】
2016153011.tif 000059
【０１９５】
本反応は窒素雰囲気下にて行った。コンデンサを有した１０Ｌ四つ口フラスコに、（メトキシメチル）トリフェニルホスホニウムクロリド（１３４４ｇ、３．９２ｍｏｌ、１．１ｅｑ．）、トルエン（３０００ｍＬ）及び合成例４で得られた（＋）−５−メチルメントン（（＋）−７）（６００ｇ、３．５７ｍｏｌ、１．１ｅｑ．）を添加した。系内温度２０℃まで昇温したのち、カリウムｔ−ブトキシド（４４０ｇ、３．９２ｍｏｌ、１．１ｅｑ．）を系内温度３０℃以下に保ちつつ、１時間半を要してゆっくりと添加した。１時間後にＧＣにて（＋）−５−メチルメントンの消失及びメチルエノールエーテル（２０）の生成を確認し、３５％塩酸水（７４３ｇ、７．１３ｍｏｌ、２．０ｅｑ．）を添加した。１時間半を要して７０℃まで昇温させたのち、系内温度７０℃にて１時間熟成させ、ＧＣにてメチルエノールエーテルの完全消費を確認した。後処理として水道水を添加して油層を洗浄し、さらに５％重曹水で１回洗浄した。その後、水道水及びヘプタンを添加し、系内温度５℃以下で１時間熟成させた。溶液を吸引濾過して濾液を分液漏斗に移し、水層を除去した。油層を減圧濃縮後、クライゼン蒸留を行い（バス温１２０〜１３５℃、塔頂５８〜９４℃、２．２〜４．７ｍｍＨｇ）、目的の５−メチルメンチルカルバルデヒド（１３ａ）（５９３ｇ、収率９３％）を黄色がかったオイルとして得た。【０１９６】
メチルエノールエーテル（２０ａ）
ＧＣＭＳ：質量１９６．１８    実測値１９６．２
１Ｈ−ＮＭＲ（４００ＭＨｚ，ＣＤＣｌ３）：δ０．７６−０．８２（ｍ，３Ｈ），０．８５−０．９３（ｍ，９Ｈ），１．０９−１．２１（ｍ，１Ｈ），１．３６−１．４６（ｍ，２Ｈ），１．４７−１．７０（ｍ，３Ｈ），１．７１−１．８７（ｍ，１Ｈ），２．１４−２．３３（ｍ，１Ｈ），３．４９−３．５１（ｍ，３Ｈ），５．７１−５．８２（ｍ，１Ｈ）．【０１９７】
５−メチルメンチルカルバルデヒド（１３ａ）
ＧＣＭＳ：質量１８２．１７    実測値１８２．２
１Ｈ−ＮＭＲ（４００ＭＨｚ，ＣＤＣｌ３）：δ０．８１（ｄ，３Ｈ，Ｊ＝７．２Ｈｚ），０．８７−０．９６（ｍ，９Ｈ），１．１６−１．２９（ｍ，３Ｈ），１．３１−１．３７（ｍ，１Ｈ），１．４１−１．５６（ｍ，３Ｈ），１．６２−１．７２（ｍ，１Ｈ），２．２６−２．４２（ｍ，１Ｈ），９．４６（ｄ，１Ｈ，Ｊ＝３．６Ｈｚ）．【０１９８】
［合成例１９］５−メチルメンチルカルボン酸（２−イソプロピル−５，５−ジメチルシクロヘキサンカルボン酸）（例示化合物  ｒａｃ−１１ａ）の合成【０１９９】
【化５８】
2016153011.tif 000060
【０２００】
コンデンサと滴下漏斗を有した５Ｌ四つ口フラスコに、６７％硝酸（２２３ｇ、２．３７ｍｏｌ、１．５ｅｑ．）を添加し、系内内温が４６℃になるまで撹拌しつつ昇温した。滴下漏斗に合成例１８で得られた５−メチルメンチルカルバルデヒド（１３ａ）（２８．８ｇ、０．１５８ｍｏｌ、０．１ｅｑ．）を用意し、系内温度４６〜５４℃に保ちつつ、３０分間を要して滴下した。続いて合成例１８で得られた５−メチルメンチルカルバルデヒド（ｒａｃ−１３ａ）（２５９ｇ、１．４２ｍｏｌ、０．９ｅｑ．）のヘプタン溶液（２８８ｍＬ）を滴下漏斗に用意し、系内温度４６〜５４℃に保ちつつ、４時間を要して滴下した。滴下終了後、内温５０℃にて２時間熟成させ、後処理を行った。水道水及びトルエンを添加して洗浄し、分液漏斗に移して水層を除去した。油層に亜硫酸ナトリウム（１８．９ｇ、０．１５０ｍｏｌ、０．０９５ｅｑ．）水溶液を添加し、４０℃〜５０℃で２０分間撹拌したのち、３０％硫酸水（２６．６ｇ、０．０７９ｍｏｌ、０．０５ｅｑ．）を添加して洗浄し、分液漏斗に移して水層を除去した。油層に水道水及び２５％水酸化ナトリウム水溶液（２７８ｇ、１．７４ｍｏｌ、１．１ｅｑ．）を添加し、分液漏斗に移して油層を除去した。さらに水層をトルエンで１回洗浄し、トルエン及び３０％硫酸水（３５０ｇ、０．１８１ｍｏｌ、０．６６ｅｑ．）を添加して洗浄し、分液漏斗に移して水層を除去した。油層をさらに水道水で２回洗浄し、油層を減圧濃縮後に乾燥させて目的の５−メチルメンチルカルボン酸（ｒａｃ−１１ａ）（２７０ｇ、収率８９％）を黄色がかった結晶として得た。【０２０１】
［実施例３］例示化合物ｒａｃ−１４ａ−３８（Ｎ−（４−（シアノメチル）フェニル）−２−イソプロピル−５，５−ジメチルシクロヘキサンカルボキシアミド）の合成【０２０２】
【化５９】
2016153011.tif 000061
【０２０３】
窒素雰囲気下にて１００ｍＬ四つ口フラスコに合成例７、８、９又は１９で得られた５−メチルメンチルカルボン酸（ｒａｃ−１１ａ）（５００ｍｇ、２．５２ｍｍｏｌ）、塩化チオニル（０．２７ｍＬ、１．５０ｅｑ．）及びジメチルフラン（ＤＭＦ）数滴を添加し、室温にて３時間攪拌させた。系内の溶液を溜去し、トルエン（２ｍＬ）を添加した。系内を１０℃以下に冷却し、４−アミノベンジルシアニド（１．００ｇ、３．００ｅｑ．）をゆっくりと加えた。２時間半後に反応溶液を分液漏斗に移し、水道水とクロロホルムを添加して洗浄した。油層を希塩酸で２回洗浄し、更に飽和食塩水で一回洗浄して、無水硫酸マグネシウムにて乾燥した。得られた溶液を減圧濃縮し、ヘプタン／クロロホルムにて再結晶を行い、白色結晶（４０７ｍｇ、収率５２％）を得た。【０２０４】
融点  １２１〜１２２℃
ＨＲＭＳ：質量３１３．２２７４    実測値３１３．２２７１（［Ｍ＋Ｈ］＋）
１Ｈ−ＮＭＲ（５００ＭＨｚ，ＣＤＣｌ３）：δ０．８６（ｄ，３Ｈ，Ｊ＝７．０Ｈｚ），０．８８−１．００（ｍ，９Ｈ），１．２０−１．３１（ｍ，３Ｈ），１．３９−１．６５（ｍ，４Ｈ），１．７１−１．８１（ｍ，１Ｈ），２．３０（ｔｄ，１Ｈ，Ｊ＝１１．８，３．８Ｈｚ），３．７０（ｓ，２Ｈ），７．２６（ｄ，２Ｈ，Ｊ＝８．２Ｈｚ），７．３２（ｂｒ，１Ｈ），７．５６（ｄ，１Ｈ，Ｊ＝８．２Ｈｚ）．【０２０５】
［実施例４］例示化合物ｒａｃ−１４ａ−３８（Ｎ−（４−（シアノメチル）フェニル）−２−イソプロピル−５，５−ジメチルシクロヘキサンカルボキシアミド）の合成【０２０６】
【化６０】
2016153011.tif 000062
【０２０７】
特許文献１６に記載の合成法を用いて、実施例１で得られた５−メチルメンチルアミド（１４ａ−５０）とヨウ化銅、リン酸、及び４−ヨードベンジルシアニドを用いても同様の化合物が得られた（収率４３％）。【０２０８】
［実施例５］例示化合物ｒａｃ−１４ａ−２（Ｎ−エチル−２−イソプロピル−５，５−ジメチルシクロヘキサンカルボキシアミド）の合成【０２０９】
【化６１】
2016153011.tif 000063
【０２１０】
窒素雰囲気下にて１００ｍＬ四つ口フラスコに合成例７、８、９又は１９で得られた５−メチルメンチルカルボン酸（ｒａｃ−１１ａ）（５００ｍｇ、２．５２ｍｍｏｌ）、塩化チオニル（０．２７ｍＬ、１．５０ｅｑ．）及びＤＭＦ数滴を添加し、室温にて３時間攪拌させた。系内の溶液を溜去し、トルエン（２ｍＬ）を添加した。系内を１０℃以下に冷却し、エチルアミンＴＨＦ溶液（６．３ｍＬ、２ｍｏｌ／Ｌ、５．０ｅｑ．）をゆっくりと加えた。２時間半後に反応溶液を分液漏斗に移し、水道水とクロロホルムを添加して洗浄した。油層を希塩酸で２回洗浄し、更に飽和食塩水で一回洗浄して、無水硫酸マグネシウムにて乾燥した。得られた溶液を減圧濃縮し、ヘプタン／クロロホルムにて再結晶を行い、白色結晶（２８１ｍｇ、収率４９％）を得た。【０２１１】
融点  １０１〜１０５℃
ＨＲＭＳ：質量２２６．２１６５    実測値２２６．２１６２（［Ｍ＋Ｈ］＋）
１Ｈ−ＮＭＲ（５００ＭＨｚ，ＣＤＣｌ３）：δ０．８０（ｄ，３Ｈ，Ｊ＝６．９Ｈｚ），０．８９−０．９３（ｍ，６Ｈ），１．１３（ｔ，３Ｈ，Ｊ＝１０．１Ｈｚ），１．１５−１．２７（ｍ，３Ｈ），１．３７−１．５３（ｍ，４Ｈ），１．７１（ｑｕｉｄ，１Ｈ，Ｊ＝７．０，２．５Ｈｚ），２．０８（ｔｄ，１Ｈ，Ｊ＝１１．０，４．８Ｈｚ），３．２３−３．３５（ｍ，２Ｈ），５．３７（ｂｒ，１Ｈ）．【０２１２】
［実施例６］例示化合物ｒａｃ−１４ａ−２２（メチル  ２−（２−イソプロピル−５，５−ジメチルシクロヘキサンカルボキシアミド）アセテート）の合成【０２１３】
【化６２】
2016153011.tif 000064
【０２１４】
窒素雰囲気下にて１００ｍＬ四つ口フラスコに合成例７、８、９又は１９で得られた５−メチルメンチルカルボン酸（ｒａｃ−１１ａ）（５００ｍｇ、２．５２ｍｍｏｌ）、塩化チオニル（０．２７ｍＬ、１．５０ｅｑ．）及びＤＭＦ数滴を添加し、室温にて３時間攪拌させた。系内の溶液を溜去し、トルエン（２ｍＬ）を添加した。系内を１０℃以下に冷却し、グリシンメチルエステル塩酸塩（６３３ｍｇ、２．００ｅｑ．）及びトリエチルアミン（２ｍＬ）をゆっくりと加えた。２時間半後に反応溶液を分液漏斗に移し、水道水とクロロホルムを添加して洗浄した。油層を希塩酸で２回洗浄し、更に飽和食塩水で一回洗浄して、無水硫酸マグネシウムにて乾燥した。得られた溶液を減圧濃縮し、ヘプタン／クロロホルムにて再結晶を行い、白色結晶（４２２ｍｇ、収率６２％）を得た。【０２１５】
融点  １０１〜１０４℃
ＨＲＭＳ：質量２９２．１８８３    実測値２９２．１８８６（［Ｍ＋Ｎａ］＋）
１Ｈ−ＮＭＲ（５００ＭＨｚ，ＣＤＣｌ３）：δ０．８２（ｄ，３Ｈ，Ｊ＝６．９Ｈｚ），０．８７−０．９７（ｍ，９Ｈ），１．０８−１．３３（ｍ，２Ｈ），１．３６−２．０２（ｍ，６Ｈ），２．２６（ｔｄ，１Ｈ，Ｊ＝１１．７，４．３Ｈｚ），３．７６（ｓ，３Ｈ），４．０５（ｄ，２Ｈ，Ｊ＝５．３Ｈｚ），６．１６（ｂｒ，１Ｈ）．【０２１６】
［実施例７］例示化合物ｒａｃ−１４ａ−３３（２−イソプロピル−Ｎ−（４−メトキシフェニル）−５，５−ジメチルシクロヘキサンカルボキシアミド）の合成【０２１７】
【化６３】
2016153011.tif 000065
【０２１８】
窒素雰囲気下にて１００ｍＬ四つ口フラスコに合成例７、８、９又は１９で得られた５−メチルメンチルカルボン酸（ｒａｃ−１１ａ）（４００ｍｇ、２．５２ｍｍｏｌ）、塩化チオニル（０．２２ｍＬ、１．５０ｅｑ．）及びＤＭＦ数滴を添加し、室温にて３時間攪拌させた。系内の溶液を溜去し、トルエン（５ｍＬ）を添加した。系内を１０℃以下に冷却し、ｐ−アニシジン（４９７ｍｇ、２．００ｅｑ．）及びトリエチルアミン（１．６ｍＬ）をゆっくりと加えた。２時間半後に反応溶液を分液漏斗に移し、水道水とクロロホルムを添加して洗浄した。油層を希塩酸で２回洗浄し、更に飽和食塩水で一回洗浄して、無水硫酸マグネシウムにて乾燥した。得られた溶液を減圧濃縮し、ヘプタン／クロロホルムにて再結晶を行い、白色結晶（４４５ｍｇ、収率７３％）を得た。【０２１９】
融点  １１５〜１１８℃
ＨＲＭＳ：質量３０３．２２３８    実測値３０３．２１９８
１Ｈ−ＮＭＲ（５００ＭＨｚ，ＣＤＣｌ３）：δ０．８５（ｄ，３Ｈ，Ｊ＝７．０Ｈｚ），０．９１−０．９５（ｍ，９Ｈ），１．１６−１．３０（ｍ，２Ｈ），１．３５−１．６２（ｍ，５Ｈ），１．７６−１．８３（ｍ，１Ｈ），２．２４（ｔｄ，１Ｈ，Ｊ＝１１．５，４．５Ｈｚ），６．８５（ｄ，２Ｈ，Ｊ＝９．０Ｈｚ），７．０２（ｂｒ，１Ｈ），７．４３（ｄ，２Ｈ，Ｊ＝８．５Ｈｚ）．【０２２０】
［実施例８］例示化合物ｒａｃ−１４ａ−２３（エチル  ２−（２−イソプロピル−５，５−ジメチルシクロヘキサンカルボキシアミド）アセテート）の合成【０２２１】
【化６４】
2016153011.tif 000066
【０２２２】
窒素雰囲気下にて１００ｍＬ四つ口フラスコに合成例７、８、９又は１９で得られた５−メチルメンチルカルボン酸（ｒａｃ−１１ａ）（４００ｍｇ、２．５２ｍｍｏｌ）、塩化チオニル（０．２２ｍＬ、１．５０ｅｑ．）及びＤＭＦ数滴を添加し、室温にて３時間攪拌させた。系内の溶液を溜去し、トルエン（５ｍＬ）を添加した。系内を１０℃以下に冷却し、グリシンエチルエステル塩酸塩（５６３ｍｇ、２．００ｅｑ．）及びトリエチルアミン（１．６ｍＬ）をゆっくりと加えた。２時間半後に反応溶液を分液漏斗に移し、水道水とクロロホルムを添加して洗浄した。油層を希塩酸で２回洗浄し、更に飽和食塩水で一回洗浄して、無水硫酸マグネシウムにて乾燥した。得られた溶液を減圧濃縮し、ヘプタン／クロロホルムにて再結晶を行い、白色結晶（４０９ｍｇ、収率６２％）を得た。【０２２３】
融点  １０４〜１０７℃
ＨＲＭＳ：質量２８３．２１６１    実測値２８３．２１４７
１Ｈ−ＮＭＲ（５００ＭＨｚ，ＣＤＣｌ３）：δ０．８２（ｄ，３Ｈ，Ｊ＝６．６Ｈｚ），０．８８−０．９２（ｍ，９Ｈ），１．１５−１．２７（ｍ，２Ｈ），１．２９（ｔ，３Ｈ，Ｊ＝７．０Ｈｚ），１．４１−１．５４（ｍ，５Ｈ），１．７３（ｑｕｉｄ，１Ｈ，Ｊ＝７．０，２．５Ｈｚ），２．２３（ｔｄ，１Ｈ，Ｊ＝１１．５，４．０Ｈｚ），４．０３（ｄ，２Ｈ，Ｊ＝６．６Ｈｚ），４．２２（ｑ，２Ｈ，Ｊ＝７．０Ｈｚ），５．９１（ｂｒ，１Ｈ）．【０２２４】
［実施例９］例示化合物ｒａｃ−１４ａ−４０（２−イソプロピル−Ｎ−（４−メトキシ−２−メチルフェニル）−５，５−ジメチルシクロヘキサンカルボキシアミド）の合成【０２２５】
【化６５】
2016153011.tif 000067
【０２２６】
窒素雰囲気下にて１００ｍＬ四つ口フラスコに合成例７、８、９又は１９で得られた５−メチルメンチルカルボン酸（ｒａｃ−１１ａ）（６００ｍｇ、３．０３ｍｍｏｌ）、塩化チオニル（０．３３ｍＬ、１．５０ｅｑ．）及び触媒量のＤＭＦを添加し、室温にて３時間攪拌させた。系内の溶液を減圧溜去し、トルエン（２ｍＬ）を添加した。系内を氷浴にて１０℃以下に冷却し、２−メチル−４−メトキシアニリン（１．２５ｇ、３．０ｅｑ．）をゆっくりと加えた。２時間半後にＧＣ−ＭＳにて反応の完結を確認し、後処理を行った。反応溶液を分液漏斗に移し、水道水とクロロホルムを添加して洗浄した。油層を希塩酸で２回洗浄し、更に飽和食塩水で１回洗浄して、無水硫酸マグネシウムにて乾燥した。溶液を減圧濃縮し、カラムクロマトグラフィー（ヘプタン／酢酸エチル＝４／１）にて単離精製を行い、アモルファス状固体を得た（７７０ｍｇ、収率８０％）。【０２２７】
ＨＲＭＳ：質量  ３１７．２３５５  実測値  ３１７．２３７０
１Ｈ−ＮＭＲ（５００ＭＨｚ，ＣＤＣｌ３）：δ０．８８（ｄ、３Ｈ，Ｊ＝６．９Ｈｚ），０．９２−０．９８（ｍ，９Ｈ），１．２０−１．３１（ｍ，３Ｈ），１．４３−１．６４（ｍ，４Ｈ），１．８２−１．９１（ｍ，１Ｈ），２．２２（ｓ，３Ｈ），２．３１（ｔｄ，１Ｈ，Ｊ＝１１．６，１．２Ｈｚ），３．７７（ｓ，３Ｈ），６．７１−６．７６（ｍ，２Ｈ），６．８２（ｂｒ，１Ｈ），７．４７−７．５２（ｍ，１Ｈ）．【０２２８】
［実施例１０］例示化合物ｒａｃ−１４ａ−４６（メチル  ４−（２−イソプロピル−５，５−ジメチルシクロヘキサンカルボキシアミド）−３−メチルベンゾエート）の合成【０２２９】
【化６６】
2016153011.tif 000068
【０２３０】
窒素雰囲気下にて１００ｍＬ四つ口フラスコに合成例７、８、９又は１９で得られた５−メチルメンチルカルボン酸（ｒａｃ−１１ａ）（６００ｍｇ、３．０３ｍｍｏｌ）、塩化チオニル（０．３３ｍＬ、１．５０ｅｑ．）及び触媒量のＤＭＦを添加し、室温にて３時間攪拌させた。系内の溶液を減圧溜去し、トルエン（２ｍＬ）を添加した。系内を氷浴にて１０℃以下に冷却し、３−メチル−４−アミノ安息香酸メチルエステル（１．５０ｇ、３．０ｅｑ．）をゆっくりと加えた。２時間半後にＧＣ−ＭＳにて反応の完結を確認し、後処理を行った。反応溶液を分液漏斗に移し、水道水とクロロホルムを添加して洗浄した。油層を希塩酸で２回洗浄し、更に飽和食塩水で１回洗浄して、無水硫酸マグネシウムにて乾燥した。溶液を減圧濃縮し、カラムクロマトグラフィー（ヘプタン／酢酸エチル＝４／１）にて単離精製を行い、アモルファス状固体を得た（３０６ｍｇ、収率２９％）。【０２３１】
ＨＲＭＳ：質量  ３４５．２３０４  実測値  ３４５．２２９８
１Ｈ−ＮＭＲ（５００ＭＨｚ，ＣＤＣｌ３）：δ０．８５−０．９８（ｍ，１２Ｈ），１．２０−１．３３（ｍ，３Ｈ），１．４５−１．６５（ｍ，４Ｈ），１．８２（ｑｕｉｄ，１Ｈ，Ｊ＝６．６，２．１Ｈｚ），２．２９−２．４０（ｍ，４Ｈ），７．０５（ｂｒ，１Ｈ），７．８６−７．９０（ｍ，２Ｈ），８．１４（ｄ，１Ｈ，Ｊ＝８．２Ｈｚ）．【０２３２】
［実施例１１］例示化合物ｒａｃ−１４ａ−４１（Ｎ−（３−ヒドロキシ−４−メトキシフェニル）−２−イソプロピル−５，５−ジメチルシクロヘキサンカルボキシアミド）の合成【０２３３】
【化６７】
2016153011.tif 000069
【０２３４】
窒素雰囲気下にて１００ｍＬ四つ口フラスコに合成例７、８、９又は１９で得られた５−メチルメンチルカルボン酸（ｒａｃ−１１ａ）（３００ｍｇ、１．５１ｍｍｏｌ）、塩化チオニル（０．１７ｍＬ、１．５０ｅｑ．）触媒量のＤＭＦを添加し、室温にて３時間攪拌させた。系内の溶液を減圧溜去し、トルエン（２ｍＬ）を添加した。系内を氷浴にて１０℃以下に冷却し、２−アミノ−５−メトキシフェノール（６３２ｍｇ、３．０ｅｑ．）をゆっくりと加えた。２時間半後にＧＣ−ＭＳにて反応の完結を確認し、後処理を行った。反応溶液を分液漏斗に移し、水道水とクロロホルムを添加して洗浄した。油層を希塩酸で２回洗浄し、更に飽和食塩水で１回洗浄して、無水硫酸マグネシウムにて乾燥した。溶液を減圧濃縮し、カラムクロマトグラフィー（ヘプタン／酢酸エチル＝５／１）にて単離精製を行い、アモルファス状固体を得た（４４６ｍｇ、収率９２％）。本固体をヘプタン／クロロホルムで再結晶し、白色結晶を得た。【０２３５】
融点  ９３〜９８℃
ＨＲＭＳ：質量  ３２０．２２２０  実測値  ３２０．２２２７（［Ｍ＋Ｈ］＋）
１Ｈ−ＮＭＲ（５００ＭＨｚ，ＣＤＣｌ３）：δ０．８５（ｄ，３Ｈ，Ｊ＝７．０Ｈｚ），０．９０−１．００（ｍ，９Ｈ），１．１９−１．３０（ｍ，３Ｈ），１．４１−１．６０（ｍ，４Ｈ），１．７９−１．８４（ｍ，１Ｈ），２．２３（ｑｕｉｄ，１Ｈ，Ｊ＝１４．０，３．１Ｈｚ），３．８７（ｓ，３Ｈ），６．７９（ｄ，２Ｈ，Ｊ＝８．６Ｈｚ），６．９３（ｂｒ，１Ｈ），７．０４−７．１１（ｍ，２Ｈ）．【０２３６】
［実施例１２］例示化合物ｒａｃ−１４ａ−１６（２−イソプロピル−５，５−ジメチル−Ｎ−（２−（ピリジン−２−イル）エチル）シクロヘキサンカルボキシアミド）の合成【０２３７】
【化６８】
2016153011.tif 000070
【０２３８】
窒素雰囲気下にて１００ｍＬ四つ口フラスコに合成例７、８、９又は１９で得られた５−メチルメンチルカルボン酸（ｒａｃ−１１ａ）（４００ｍｇ、２．０２ｍｍｏｌ）、塩化チオニル（０．３５ｍＬ、１．５０ｅｑ．）触媒量のＤＭＦを添加し、室温にて３時間攪拌させた。系内の溶液を減圧溜去し、トルエン（２ｍＬ）を添加した。系内を氷浴にて１０℃以下に冷却し、２−（２−アミノエチル）−ピリジン（７３９ｍｇ、３．０ｅｑ．）をゆっくりと加えた。２時間半後にＧＣ−ＭＳにて反応の完結を確認し、後処理を行った。反応溶液を分液漏斗に移し、水道水とクロロホルムを添加して洗浄した。更に飽和食塩水で２回洗浄して、無水硫酸マグネシウムにて乾燥した。溶液を減圧濃縮し、カラムクロマトグラフィー（ヘプタン／酢酸エチル＝５／１〜０／１）にて単離精製を行い、アモルファス状固体を得た（３４２ｍｇ、収率５２％）。本固体をヘプタン／クロロホルムで再結晶し、白色結晶を得た。【０２３９】
融点  １０４〜１０７℃
ＨＲＭＳ：質量３０３．２４３１    実測値３０３．２４２１（［Ｍ＋Ｈ］＋）
１Ｈ−ＮＭＲ（５００ＭＨｚ，ＣＤＣｌ３）：δ０．６８（ｄ，３Ｈ，Ｊ＝６．９Ｈｚ），０．８３（ｄ，３Ｈ，Ｊ＝７．０Ｈｚ），０．８５（ｓ，３Ｈ），０．８９（ｓ，３Ｈ），１．０５−１．２７（ｍ，３Ｈ），１．３５−１．４８（ｍ，４Ｈ），１．５５−１．６２（ｍ，１Ｈ），２．０−２．１０（ｍ，１Ｈ），２．９９（ｔ，２Ｈ，Ｊ＝６．４Ｈｚ），３．５８−３．７４（ｍ，２Ｈ），６．３０（ｂｒ，１Ｈ），７．１３−７．１８（ｍ，２Ｈ），７．６１（ｔｄ，１Ｈ，Ｊ＝７．６，１．８Ｈｚ），８．５２−８．５５（ｍ，２Ｈ）．【０２４０】
［実施例１３］例示化合物ｒａｃ−１４ａ−４７（Ｎ−（４−（ヒドロキシメチル）フェニル）−２−イソプロピル−５，５−ジメチルシクロヘキサンカルボキシアミド）の合成【０２４１】
【化６９】
2016153011.tif 000071
【０２４２】
窒素雰囲気下にて１００ｍＬ四つ口フラスコに合成例７、８、９又は１９で得られた５−メチルメンチルカルボン酸（ｒａｃ−１１ａ）（３００ｍｇ、１．５１ｍｍｏｌ）、塩化チオニル（０．１７ｍＬ、１．５０ｅｑ．）触媒量のＤＭＦを添加し、室温にて３時間攪拌させた。系内の溶液を減圧溜去し、トルエン（２ｍＬ）を添加した。系内を氷浴にて１０℃以下に冷却し、２−アミノベンジルアルコール（５５９ｍｇ，３．０ｅｑ．）をゆっくりと加えた。２時間半後にＧＣ−ＭＳにて反応の完結を確認し、後処理を行った。反応溶液を濾過しつつ分液漏斗に移し、水道水とクロロホルムを添加して洗浄した。油層を希塩酸で２回洗浄し、更に飽和食塩水で１回洗浄して、無水硫酸マグネシウムにて乾燥した。溶液を減圧濃縮し、クロロホルム／酢酸エチルで再結晶を行い、黄色結晶を得た（３３０ｍｇ、収率７２％）。【０２４３】
融点  １６５−１７２℃
ＨＲＭＳ：質量３２６．２０９１    実測値３２６．２０８３（［Ｍ＋Ｎａ］＋）
１Ｈ−ＮＭＲ（５００ＭＨｚ，ＤＭＳＯ−Ｄ６）：δ０．８３（ｄ，３Ｈ，Ｊ＝６．９Ｈｚ），０．８５（ｄ，３Ｈ，Ｊ＝６．９Ｈｚ），０．９１（ｄ，６Ｈ，Ｊ＝７．３Ｈｚ），１．１０−１．２２（ｍ，２Ｈ），１．３２−１．５１（ｈ，５Ｈ），１．６２（ｑｕｉｄ，１Ｈ，Ｊ＝６．８，２．４Ｈｚ），２．４３−２．５２（ｍ，１Ｈ），４．４２（ｓ，２Ｈ），５．０６（ｂｒ，１Ｈ），７．２１（ｄ，２Ｈ，Ｊ＝８．４Ｈｚ），７．５２−７．６０（ｍ，２Ｈ），９．８２（ｓ，１Ｈ）．【０２４４】
［実施例１４］例示化合物ｒａｃ−１７ａ−２（（Ｓ）−（ｔｒａｎｓ−２−イソプロピル−５，５−ジメチルシクロヘキシル）２−ヒドロキシプロパノエート）の合成【０２４５】
【化７０】
2016153011.tif 000072
【０２４６】
特許文献２５の合成法に従い合成を行った。窒素雰囲気下にてｄｅａｎ−ｓｔａｒｋコンデンサを有した５０ｍＬシュレンクに合成例３で得られたラセミ−ｔｒａｎｓ−５−メチルメントール（ｒａｃ−ｔｒａｎｓ−５）（１．５０ｇ、８．８１ｍｍｏｌ）、（Ｓ）−乳酸（１．３５ｇ、１５．０ｍｍｏｌ、１．７ｅｑ．）、ヘプタン（２５ｍＬ）を添加し、撹拌を開始した。系内に触媒量の濃硫酸を添加し、系内を１００℃まで昇温し、水を系内より除去しつつ還流撹拌した。４時間後にＧＣ−ＭＳにて反応の進行を確認し、後処理を行った。系内温度を室温まで冷却し、１質量％水酸化ナトリウム水溶液で１回、飽和食塩水で１回洗浄した。油層を無水硫酸マグネシウムにて乾燥し、濾過・濃縮後にカラムクロマトグラフィー（ヘプタン／酢酸エチル＝７／１）にて単離精製を行い、目的の無色オイルを得た（７６６ｍｇ、収率３６％）。【０２４７】
［α］Ｄ２０＝−５．１３（ｃ＝０．５，ＥｔＯＨ）
ＨＲＭＳ：質量  ２６５．１７７４  実測値  ２６５．１７６８（［Ｍ＋Ｎａ］＋）
１Ｈ−ＮＭＲ（５００ＭＨｚ，ＣＤＣｌ３）：δ０．８０（ｄｄ，３Ｈ，Ｊ＝７．０，３．７Ｈｚ），０．９０（ｄｄ，３Ｈ，Ｊ＝７．０，３．７Ｈｚ），０．９３−０．９７（ｍ，６Ｈ），１．１４−１．３０（ｍ，３Ｈ），１．３５−１．４３（ｍ，４Ｈ），１．５８（ｂｒ，２Ｈ），１．６８−１．７６（ｍ，１Ｈ），１．７９−１．８８（ｍ，１Ｈ），２．８４（ｄ，１Ｈ，５．４Ｈｚ），４．１８−４．２５（ｍ，１Ｈ），４．９０−４．９８（ｍ，１Ｈ）．【０２４８】
［実施例１５］例示化合物（１Ｒ，２Ｓ）−１７ａ−２（（Ｓ）−（（１Ｒ，２Ｓ）−２−イソプロピル−５，５−ジメチルシクロヘキシル）２−ヒドロキシプロパノエート）の合成【０２４９】
【化７１】
2016153011.tif 000073
【０２５０】
実施例１４の手法を用いて、合成例１２で得られた（−）−ｔｒａｎｓ−５−メチルメントール（７５０ｍｇ、４．４０ｍｍｏｌ）より（−）−体を無色オイルとして得た（３６７ｍｇ、収率３４％）。【０２５１】
［α］Ｄ２０＝−６２．３（ｃ＝０．２，ＥｔＯＨ）
ＨＲＭＳ：質量  ２４３．１９７０  実測値  ２４３．１９６０（ＦＩ）
１１Ｈ−ＮＭＲ（５００ＭＨｚ，ＣＤＣｌ３）：δ０．８１（ｄ，３Ｈ，Ｊ＝６．９Ｈｚ），０．９０（ｄ，３Ｈ，Ｊ＝７．０Ｈｚ），０．９３−０．９７（ｍ，６Ｈ），１．１４−１．３０（ｍ，３Ｈ），１．３５−１．４３（ｍ，４Ｈ），１．５８（ｂｒ，２Ｈ），１．７１（ｄｑ，１Ｈ，Ｊ＝１２．２，２．４Ｈｚ），１．７９−１．８８（ｍ，１Ｈ），２．８９（ｂｒ，１Ｈ），４．１８−４．２５（ｂｒ，１Ｈ），４．９５（ｔｄ，１Ｈ，Ｊ＝１１．０，４．６Ｈｚ）．【０２５２】
［実施例１６］例示化合物（１Ｓ，２Ｒ）−１７ａ−２（（Ｓ）−（（１Ｓ，２Ｒ）−２−イソプロピル−５，５−ジメチルシクロヘキシル）２−ヒドロキシプロパノエート）の合成【０２５３】
【化７２】
2016153011.tif 000074
【０２５４】
実施例１４の手法を用いて、合成例１３で得られた（＋）−ｔｒａｎｓ−５−メチルメントール（７５０ｍｇ、４．４０ｍｍｏｌ）より（＋）−体を無色オイルとして得た（３６７ｍｇ、収率３４％）。【０２５５】
［α］Ｄ２０＝＋４１．１（ｃ＝０．４，ＥｔＯＨ）
ＨＲＭＳ：質量  ２６５．１７７４  実測値  ２６５．１７７７（ＥＳＩ，［Ｍ＋Ｎａ］＋）
１Ｈ−ＮＭＲ（５００ＭＨｚ，ＣＤＣｌ３）：δ０．７９（ｄ，３Ｈ，Ｊ＝６．９Ｈｚ），０．９１（ｄ，３Ｈ，Ｊ＝７．０Ｈｚ），０．９３−０．９７（ｍ，６Ｈ），１．１４−１．３０（ｍ，３Ｈ），１．３５−１．４３（ｍ，４Ｈ），１．５８（ｂｒ，２Ｈ），１．７５（ｄｑ，１Ｈ，Ｊ＝１２．２，２．４Ｈｚ），１．７９−１．８８（ｍ，１Ｈ），２．８４（ｄ，１Ｈ，５．４Ｈｚ），４．１８−４．２５（ｍ，１Ｈ），４．９３（ｔｄ，１Ｈ，Ｊ＝１１．０，４．６Ｈｚ）．【０２５６】
［実施例１７］例示化合物ｒａｃ−１４ａ−４３（メチル  ２−（２−イソプロピル−５，５−ジメチルシクロヘキサンカルボキシアミド）ベンゾエート）の合成【０２５７】
【化７３】
2016153011.tif 000075
【０２５８】
本反応は窒素雰囲気下にて行った。１００ｍＬリアクターに合成例７、８、９又は１９で得られた５−メチルメンチルカルボン酸（ｒａｃ−１１ａ）（４００ｍｇ、２．０２ｍｍｏｌ）、塩化チオニル（０．２２ｍＬ、１．５０ｅｑ．）及びＤＭＦ数適を添加し、室温にて３時間攪拌させた。系内の溶液を溜去し、トルエンを２ｍＬ添加した。系内を氷浴にて１０℃以下に冷却し、２−アミノ安息香酸メチル（６１０ｍｇ、２．０ｅｑ．）をゆっくりと加えた。２時間半後にＧＣ−ＭＳにて反応の完結を確認し、後処理を行った。反応溶液を濾過しつつ分液漏斗に移し、水道水とクロロホルムを添加して洗浄した。油層を希塩酸で２回洗浄し、更に飽和食塩水で１回洗浄して、無水硫酸マグネシウムにて乾燥した。溶液を減圧濃縮し、カラムクロマトグラフィーにて単離精製し、目的のアモルファス状のオイルを得た（５１０ｍｇ、収率７６％）。【０２５９】
ＨＲＭＳ：質量  ３３２．２２２０  実測値  ３３２．２２４０（［Ｍ＋Ｈ］＋）
１Ｈ−ＮＭＲ（５００ＭＨｚ，ＣＤＣｌ３）：δ０．８７（ｄ，３Ｈ，Ｊ＝６．９Ｈｚ，），０．９２（ｄ，１Ｈ，Ｊ＝６．９Ｈｚ）．０．９５（ｓ，６Ｈ），１．２１−１．３２（ｍ，３Ｈ），１．４４−１．６７（ｍ，４Ｈ），１．７８（ｑｕｉｄ，１Ｈ，Ｊ＝７．０，２．７Ｈｚ），２．３８−２．４５（ｍ，１Ｈ），３．９４（ｓ，３Ｈ），７．０４−７．０５（ｍ，１Ｈ），７．５１−７．５６（ｍ，１Ｈ），８．０３（ｄｄ，１Ｈ，Ｊ＝８．０，１．４Ｈｚ），８．７７（ｄｄ，１Ｈ，Ｊ＝８．５，１．０Ｈｚ），１１，１（ｂｒ，１Ｈ）．【０２６０】
［実施例１８］例示化合物ｒａｃ−１９ａ−１（６−イソプロピル−９，９−ジメチル−１，４−ジオキサスピロ［４．５］デカン−２−イル）メタノール）の合成【０２６１】
【化７４】
2016153011.tif 000076
【０２６２】
本反応は窒素雰囲気下にて行った。Ｄｅａｎ−ｓｔａｒｋコンデンサを有した反応フラスコに、合成例５で得られた５−メチルメントン（ｒａｃ−７）（３．００ｇ、１７．８ｍｍｏｌ）、グリセロール（９．８５ｇ、７．８０ｍＬ、６．０ｅｑ．）、トルエン（２０ｍＬ）及び濃硫酸数滴を添加し、還流撹拌した。コンデンサには系中より析出した水が観測された。１５時間後、系内を室温まで冷却し、反応溶液を濃縮してカラムクロマトグラフィー（ヘプタン／酢酸エチル）にて精製し、目的のオレンジがかったオイル（１．９６ｇ、収率４５％）を得た。【０２６３】
ＨＲＭＳ：質量２４２．１８９２    実測値２４２．１８８１
１Ｈ−ＮＭＲ（５００ＭＨｚ，ＣＤＣｌ３）：δ０．８６−１．０１（ｍ，１２Ｈ），１．１８−１．８８（ｍ，８Ｈ），２．０１−２．１９（ｍ，１Ｈ），３６．５２−３．８１（ｍ，３Ｈ），３．９６−４．３０（ｍ，２Ｈ）（ｄｉａｓｔｅｒｅｏｍｅｒｓ  ｍｉｘｔｕｒｅ）【０２６４】
［実施例１９］例示化合物１４ａ−３８ｉ（（−）−ｔｒａｎｓ−Ｎ−（４−（シアノメチル）フェニル）−２−イソプロピル−５，５−ジメチルシクロヘキサンカルボキシアミド）の合成【０２６５】
【化７５】
2016153011.tif 000077
【０２６６】
本反応は窒素雰囲気下にて行った。１００ｍＬリアクターに合成例１５で得られた（−）−５−メチルメンチルカルボン酸（１Ｒ，２Ｓ）−１１ａ）（４５０ｍｇ、２．２７ｍｍｏｌ）、塩化チオニル（０．２５ｍＬ、１．５０ｅｑ．）及びＤＭＦ数滴を添加し、室温にて３時間攪拌させた。系内の溶液を溜去し、トルエンを２ｍＬ添加した。系内を氷浴にて１０℃以下に冷却し、４−アミノベンズシアニド（９００ｍｇ、３．０ｅｑ．）をゆっくりと加えた。２時間半後にＧＣ−ＭＳにて反応の完結を確認し、後処理を行った。反応溶液を分液漏斗に移し、水道水とクロロホルムを添加して洗浄した。油層を希塩酸で２回洗浄し、更に飽和食塩水で１回洗浄して、無水硫酸マグネシウムにて乾燥した。溶液を減圧濃縮し、カラムクロマトグラフィーにて単離精製を行い、アモルファス状固体を得た（５４５ｍｇ、収率７７％、８０％ｅｅ．）。【０２６７】
［α］Ｄ２０＝−２０．６（ｃ＝０．５，ＥｔＯＨ）
ＨＲＭＳ：質量３１７．２２０２    実測値３１７．２２１１（ＦＩ）
１Ｈ−ＮＭＲ（５００ＭＨｚ，ＣＤＣｌ３）：δ０．８６（ｄ，３Ｈ，Ｊ＝７．０Ｈｚ），０．８８−１．００（ｍ，９Ｈ），１．２０−１．３１（ｍ，３Ｈ），１．３９−１．６５（ｍ，４Ｈ），１．７１−１．８１（ｍ，１Ｈ），２．３０（ｔｄ，１Ｈ，Ｊ＝１１．８，３．８Ｈｚ），３．７０（ｓ，２Ｈ），７．２６（ｄ，２Ｈ，Ｊ＝８．０Ｈｚ），７．３２（ｂｒ，１Ｈ），７．５６（ｄ，１Ｈ，Ｊ＝８．０Ｈｚ）．【０２６８】
［実施例２０］例示化合物ｒａｃ−１４ａ−４２（Ｎ−（２−ヒドロキシ−４−メトキシフェニル）−２−イソプロピル−５，５−ジメチルシクロヘキサンカルボキシアミド）の合成【０２６９】
【化７６】
2016153011.tif 000078
【０２７０】
本反応は窒素雰囲気下にて行った。１００ｍＬリアクターに合成例７、８、９又は１９で得られた５−メチルメンチルカルボン酸（ｒａｃ−１１ａ）（３５０ｍｇ、１．７７ｍｍｏｌ）、塩化チオニル（０．１９ｍＬ、１．５０ｅｑ．）及びＤＭＦ数滴を添加し、室温にて３時間攪拌させた。コールド系内の溶液を溜去し、トルエンを２ｍＬ添加した。系内を氷浴にて１０℃以下に冷却し、２−アミノ−５−メトキシフェノール（４９１ｍｇ、２．０ｅｑ．）をゆっくりと加えた。室温で２時間半後に内温６０℃にて１時間撹拌し、ＧＣ−ＭＳにて反応の完結を確認した。後処理として反応溶液を分液漏斗に移し、水道水とクロロホルムを添加して洗浄した。油層を希塩酸で２回洗浄し、更に飽和食塩水で一回洗浄して、無水硫酸マグネシウムにて乾燥した。系内にさらにシリカゲルを添加して撹拌後に溶液を濾過・濃縮し白色固体を得た（４０１ｍｇ、１．２５５ｍｍｏｌ、収率７１％）。少量の本化合物をヘプタン／クロロホルムで再結晶し、白色結晶を得た。【０２７１】
融点  １５３〜１５５℃
ＨＲＭＳ：質量  ３２０．２２２０  実測値  ３２０．２２２６（［Ｍ＋Ｈ］＋）
１Ｈ−ＮＭＲ（５００ＭＨｚ，ＣＤＣｌ３）：δ０．８７（ｄ，３Ｈ，Ｊ＝６．９Ｈｚ），０．９２−０．９８（ｍ，９Ｈ），１．１９−１．３１（ｍ，３Ｈ），１．４５−１．６５（ｍ，７Ｈ），１．７５−１．８３（ｍ，１Ｈ），２．４１（ｔｄ，１Ｈ，Ｊ＝１２．０，３．５Ｈｚ），６．６１（ｄ，１Ｈ，Ｊ＝２．９Ｈｚ），６．７０（ｄｄ，１Ｈ，Ｊ＝８．９，３．０Ｈｚ），６．９４（ｄ，１Ｈ，Ｊ＝８．９Ｈｚ），８．０８（ｓ，１Ｈ）．【０２７２】
［実施例２１］例示化合物ｒａｃ−１４ａ−４４（メチル  ３−（２−イソプロピル−５，５−ジメチルシクロヘキサンカルボキシアミド）ベンゾエート）の合成【０２７３】
【化７７】
2016153011.tif 000079
【０２７４】
本反応は窒素雰囲気下にて行った。１００ｍＬリアクターに合成例７、８、９又は１９で得られた５−メチルメンチルカルボン酸（ｒａｃ−１１ａ）（４００ｍｇ、４．０３ｍｍｏｌ）、塩化チオニル（０．３５ｍＬ、１．５０ｅｑ．）及びＤＭＦ数滴を添加し、室温にて３時間攪拌させた。系内の溶液を溜去し、トルエンを２ｍＬ添加した。系内を氷浴にて１０℃以下に冷却し、メチル−ｍ−アミノベンゾエート（６１０ｍｇ、２．０ｅｑ．）をゆっくりと加えた。室温で２時間、内温５０℃にて１時間撹拌し、ＧＣ−ＭＳにて反応の完結を確認した。後処理として反応溶液を分液漏斗に移し、水道水とクロロホルムを添加して洗浄した。油層を希塩酸で２回洗浄し、更に飽和食塩水で一回洗浄して、無水硫酸マグネシウムにて乾燥した。溶液を減圧濃縮し、カラムクロマトグラフィーにて単離精製を行い、アモルファス状固体を得た（５２９ｍｇ、１．６０ｍｍｏｌ、収率７９％）。【０２７５】
ＨＲＭＳ：質量  ３３２．２２２０  実測値  ３３２．２２３７（［Ｍ＋Ｈ］＋）
１Ｈ−ＮＭＲ（５００ＭＨｚ，ＣＤＣｌ３）：δ０．８３−０．９７（ｍ，１２Ｈ），１．２０−１．３５（ｍ，３Ｈ），１．３９−１．６７（ｍ，４Ｈ），１．７６−１．８４（ｍ，１Ｈ），２．３０（ｔｄ，１Ｈ，Ｊ＝１１．８，４．１Ｈｚ），７．３０（ｂｒ，１Ｈ），７．３９（ｄ，１Ｈ，Ｊ＝７．９Ｈｚ），７．７５−７．８０（ｍ，１Ｈ），７．８７−８．０５（ｈ，２Ｈ）．【０２７６】
［実施例２２］例示化合物ｒａｃ−１４ａ−４５（メチル  ４−（２−イソプロピル−５，５−ジメチルシクロヘキサンカルボキシアミド）ベンゾエート）の合成【０２７７】
【化７８】
2016153011.tif 000080
【０２７８】
本反応は窒素雰囲気下にて行った。１００ｍＬリアクターに合成例７、８、９又は１９で得られた５−メチルメンチルカルボン酸（ｒａｃ−１１ａ）（４００ｍｇ、４．０３ｍｍｏｌ）、塩化チオニル（０．３５ｍＬ、１．５０ｅｑ．）及びＤＭＦ数滴を添加し、室温にて３時間攪拌させた。系内の溶液を溜去し、トルエンを２ｍＬ添加した。系内を氷浴にて１０℃以下に冷却し、メチル−ｐ−アミノベンゾエート（６１０ｍｇ、２．０ｅｑ．）をゆっくりと加えた。室温で２時間、内温５０℃にて１時間撹拌し、ＧＣ−ＭＳにて反応の完結を確認した。後処理として反応溶液を分液漏斗に移し、水道水とクロロホルムを添加して洗浄した。油層を希塩酸で２回洗浄し、更に飽和食塩水で一回洗浄して、無水硫酸マグネシウムにて乾燥した。溶液を減圧濃縮し、カラムクロマトグラフィーにて単離精製を行い、アモルファス状固体を得た（４９１ｍｇ、１．４８ｍｍｏｌ、収率７３％）。【０２７９】
ＨＲＭＳ：質量  ３３２．２２２０  実測値  ３３２．２２３２（［Ｍ＋Ｈ］＋）
１Ｈ−ＮＭＲ（５００ＭＨｚ，ＣＤＣｌ３）：δ０．８３−０．９７（ｍ，１２Ｈ），１．２０−１．３５（ｍ，３Ｈ），１．４４−１．６４（ｍ，４Ｈ），１．７３−１．８３（ｍ，１Ｈ），２．３０（ｔｄ，１Ｈ，Ｊ＝１１．９，３．７Ｈｚ），７．３０（ｂｒ，１Ｈ），７．６２（ｄ，１Ｈ，Ｊ＝８．７Ｈｚ），７．９９（ｄｔ，１Ｈ，Ｊ＝９．１，１．９Ｈｚ）．【０２８０】
［実施例２３］例示化合物ｒａｃ−１４ａ−３８の官能評価【０２８１】
【化７９】
2016153011.tif 000081
【０２８２】
官能評価は従来知られている化合物のうち冷感が強く、構造が類似している比較化合物１（Ｅｖｅｒｃｏｏｌ１８０）と比較して行った。例示化合物ｒａｃ−１４ａ−３８、比較化合物１は共に、２ｐｐｍ水溶液として評価を行った。【０２８３】
［官能所見］
・例示化合物ｒａｃ−１４ａ−３８を口に含んで１分〜数分経過した後冷感が発現した。冷感は３０分以上持続した。
・冷感特徴が比較化合物１（Ｅｖｅｒｃｏｏｌ１８０）より自然な感じであった。Ｅｖｅｒｃｏｏｌ１８０はメントール的な特徴を有するのに対し、ｒａｃ−１４ａ−３８は冷感のみを覚えた。
・冷感特徴が比較化合物１（Ｅｖｅｒｃｏｏｌ１８０）よりｒａｃ−１４ａ−３８の方がシャープであった。【０２８４】
［実施例２４］例示化合物ｒａｃ−１４ａ−２３の官能評価【０２８５】
【化８０】
2016153011.tif 000082
【０２８６】
官能評価は従来知られており、構造が類似している比較化合物２と比較して行った。例示化合物ｒａｃ−１４ａ−２３、比較化合物２は共に、３０ｐｐｍ水溶液として評価を行った。【０２８７】
［官能所見］
ｒａｃ−１４ａ−２３は鋭い冷感刺激は比較化合物２より強かった。冷感発現は比較化合物２より遅く、冷感強度のピークは比較化合物２と同等であった。ｒａｃ−１４ａ−２３の鋭い冷感は持続性に富み、終始冷感の底上げをしているような印象であった。持続性は比較化合物２より勝っていた。【０２８８】
［実施例２５］例示化合物ｒａｃ−１４ａ−３４の官能評価【０２８９】
【化８１】
2016153011.tif 000083
【０２９０】
官能評価は従来知られており、構造が類似している比較化合物３と比較して行った。例示化合物ｒａｃ−１４ａ−３４、比較化合物３は共に、３０ｐｐｍ水溶液として評価を行った。【０２９１】
［官能所見］
ｒａｃ−１４ａ−３４のトップの旨味感は比較化合物３と同等で、冷感発現の出だしは遅かった。時間が経つにつれて冷感強度が上がってきた。旨味が持続するゆえ、唾液分泌が続くところが興味深い特徴であった（唾液は喉奥から分泌される感じであった）。【０２９２】
［実施例２６］例示化合物ｒａｃ−１４ａ−４０の官能評価【０２９３】
【化８２】
2016153011.tif 000084
【０２９４】
官能評価は従来知られており、構造が類似している比較化合物３と比較して行った。例示化合物ｒａｃ−１４ａ−４０、比較化合物３は共に３０ｐｐｍ水溶液として評価を行った。【０２９５】
［官能所見］
ｒａｃ−１４ａ−４０のトップの旨味・塩味は比較化合物３より強くシャープであった。旨味と痺れ感が同時に発現するため、サリベーション効果がありそうな印象であった。【０２９６】
［実施例２７］例示化合物ｒａｃ−１４ａ−４６の官能評価【０２９７】
【化８３】
2016153011.tif 000085
【０２９８】
官能評価は従来知られている比較化合物３と比較して行った。例示化合物ｒａｃ−１４ａ−４６、比較化合物３は共に３０ｐｐｍ水溶液として評価を行った。【０２９９】
［官能所見］
ｒａｃ−１４ａ−４６はエステル特有のクリアで軽いタッチであるが、出方が遅く、冷感強度の持続性があった。【０３００】
［実施例２８］例示化合物ｒａｃ−１４ａ−４１の官能評価【０３０１】
【化８４】
2016153011.tif 000086
【０３０２】
官能評価は従来知られている比較化合物３と比較して行った。例示化合物ｒａｃ−１４ａ−４１、比較化合物３は共に３０ｐｐｍ水溶液として評価を行った。【０３０３】
［官能所見］
ｒａｃ−１４ａ−４１は比較化合物３よりやや早い冷感の立ち上がりが見られた。先味にケミカル様の苦味をやや覚えるものの、しばらくしたら消失するので問題のない程度であった。冷感強度は比較化合物３の１．２〜１．３倍程度の強い強度であった。冷感に灼熱感よりもクリア感が伴い、好ましい冷感が見られた。喉奥に冷感がかなり残り、持続性もある結果となった。【０３０４】
［実施例２９］例示化合物ｒａｃ−１４ａ−４７の官能評価【０３０５】
【化８５】
2016153011.tif 000087
【０３０６】
官能評価は従来知られている比較化合物３と比較して行った。例示化合物ｒａｃ−１４ａ−４７、比較化合物３は共に３０ｐｐｍ水溶液として評価を行った。【０３０７】
［官能所見］
ｒａｃ−１４ａ−４７は早い冷感の立ち上がりが特徴的であった。比較化合物３と同様、旨味を伴うが、比較化合物３よりも強い旨味が感じられた。冷感強度は比較化合物３の１．５〜２倍程度と大変強く、冷感に灼熱感（ヒリヒリ感）があった。喉奥に冷感がかなり残り、持続性もある結果となった。【０３０８】
［実施例３０］シャンプーに賦香した評価【０３０９】
【化８６】
2016153011.tif 000088
【０３１０】
Ｌ−メントール及び、従来知られている比較化合物４または例示化合物ｒａｃ−１４ａ−３８をそれぞれ賦香したシャンプー（Ａ）〜（Ｃ）を調製し、官能評価を行った。以下にシャンプー（Ａ）〜（Ｃ）の配合を示す。【０３１１】
（Ａ）ボディーシャンプーＢＡＳＥ  ９００ｇ  ＋  Ｌ−メントール  ３０ｇ  ＋  ジプロピレングリコール（ＤＰＧ）  ７０ｇ
（Ｂ）ボディーシャンプーＢＡＳＥ  ９００ｇ  ＋  Ｌ−メントール  ３０ｇ  ＋  比較化合物４  １０％  ｉｎ  ＤＰＧ  ７０ｇ
（Ｃ）ボディーシャンプーＢＡＳＥ  ９００ｇ  ＋  Ｌ−メントール  ３０ｇ  ＋  例示化合物ｒａｃ−１４ａ−３８  １％  ｉｎ  ＤＰＧ  ７０ｇ【０３１２】
なお、ボディーシャンプーＢＡＳＥの処方箋は以下の通りである。【０３１３】
【表１】
2016153011.tif 000089
【０３１４】
［評価コメント］
シャンプー（Ｂ）及びシャンプー（Ｃ）の処方はシャンプー（Ａ）よりも冷感効果があり、シャンプー（Ｃ）はシャンプー（Ｂ）の１／１０の冷感剤の配合量ながらも、シャンプー（Ｂ）と同等若しくはそれ以上の冷感効果を有した。【０３１５】
［実施例３１］ビール風味飲料に賦香した評価【０３１６】
【化８７】
2016153011.tif 000090
【０３１７】
Ｌ−メントール及び、例示化合物ｒａｃ−１４ａ−３８または従来知られている比較化合物４をそれぞれ賦香したビール風味飲料（Ｄ）〜（Ｆ）を調製し、官能評価を行った。以下にビール風味飲料（Ｄ）〜（Ｆ）の配合を示す。
（Ｄ）ノンアルコールビールテイスト飲料  １０００ｇ
（Ｅ）ノンアルコールビールテイスト飲料  １０００ｇ  ＋  Ｌ−メントール  １ｍｇ（１ｐｐｍ）  ＋  比較化合物４  １ｍｇ（１ｐｐｍ）添加
（Ｆ）ノンアルコールビールテイスト飲料  １０００ｇ  ＋  Ｌ−メントール  １ｍｇ（１ｐｐｍ）  ＋  例示化合物ｒａｃ−１４ａ−３８  ０．１ｍｇ（０．１ｐｐｍ）添加【０３１８】
なお、ビールフレーバーの処方箋は以下の通りである。【０３１９】
【表２】
2016153011.tif 000091
【０３２０】
上記処方のビールフレーバーを用いたビール風味飲料の処方箋は以下の通りである。【０３２１】
【表３】
2016153011.tif 000092
【０３２２】
［評価コメント］
ビール風味飲料（Ｅ）及びビール風味飲料（Ｆ）はビール風味飲料（Ｄ）よりも冷感効果があり、ビール風味飲料（Ｆ）はビール風味飲料（Ｅ）の１／１０の冷感剤の配合量ながらもビール風味飲料（Ｅ）と同等若しくはそれ以上の冷感効果を有した。さらにビール風味飲料（Ｆ）はビール風味飲料（Ｅ）と比較して質の良い、快い冷感を有した。【０３２３】
［実施例３２］歯磨き粉賦香評価【０３２４】
【化８８】
2016153011.tif 000093
【０３２５】
Ｌ−メントール及び、例示化合物ｒａｃ−１４ａ−３８又は従来知られている比較化合物４をそれぞれ賦香した歯磨き粉（Ｇ）〜（Ｉ）を調製し、官能評価を行った。以下に歯磨き粉（Ｇ）〜（Ｉ）の配合を示す。
（Ｇ）歯磨き粉基剤  ９９０ｇ  ＋  ツースペーストフレーバーＢＡＳＥ  ４ｇ  ＋  Ｌ−メントール  ４ｇ  ＋  エチルアルコール（ＥｔＯＨ）  ２ｇ
（Ｈ）歯磨き粉基剤  ９９０ｇ  ＋  ツースペーストフレーバーＢＡＳＥ  ４ｇ  ＋  Ｌ−メントール  ４ｇ  ＋  比較化合物４  １０％  ｉｎ  ＥｔＯＨ  ２ｇ
（Ｉ）歯磨き粉基剤  ９９０ｇ  ＋  ツースペーストフレーバーＢＡＳＥ  ４ｇ  ＋  Ｌ−メントール  ４ｇ  ＋  例示化合物ｒａｃ−１４ａ−３８  １％  ｉｎ  ＥｔＯＨ  ２ｇ【０３２６】
なお、ツースペーストフレーバーＢＡＳＥの処方箋は以下の通りである。【０３２７】
【表４】
2016153011.tif 000094
【０３２８】
また、歯磨き粉基剤の処方は以下の通りである。【０３２９】
【表５】
2016153011.tif 000095
【０３３０】
［評価コメント］
歯磨き粉（Ｈ）及び歯磨き粉（Ｉ）は歯磨き粉（Ｇ）よりも冷感効果があり、歯磨き粉（Ｉ）は歯磨き粉（Ｈ）の１／１０の冷感剤の配合量ながらも歯磨き粉（Ｈ）以上の冷感効果を有した。さらに歯磨き粉（Ｉ）は３０分以上の冷感効果が感じられた。また同時にツースペーストフレーバーのミント感が強く広がる効果も感じられた。【０３３１】
［実施例３３］冷感強度評価
各化合物の冷感強度を表６〜表８に示す。冷感強度測定は非特許文献６を参考に行った。冷感を感じる濃度ＥＣ５０値を冷感強度の指標として、以下に示す。【０３３２】
【表６】
2016153011.tif 000096
【０３３３】
【表７】
2016153011.tif 000097
【０３３４】
【表８】
2016153011.tif 000098
【０３３５】
本発明を詳細に、また特定の実施態様を参照して説明したが、本発明の精神と範囲を逸脱することなく様々な変更や修正を加えることができることは当業者にとって明らかである。本出願は２０１５年３月２５日出願の日本特許出願（特願２０１５−０６２３０１）に基づくものであり、その内容はここに参照として取り込まれる。
【国際調査報告】
2016153011.tif 000102
2016153011.tif 000103
2016153011.tif 000104
2016153011.tif 000105
2016153011.tif 000106
2016153011.tif 000107